【手続補正書】
【提出日】平成30年4月16日(2018.4.16)
【手続補正１】
【補正対象書類名】明細書
【補正対象項目名】全文
【補正方法】変更
【補正の内容】
【発明の詳細な説明】
【発明の名称】双方向エレクトリックコネクトソケット及び双方向エレクトリックコネクトプラグ
【技術分野】
【０００１】
本発明はエレクトリックコネクターに関し、特に双方向エレクトリックコネクトのエレクトリックコネクトソケットとエレクトリックコネクトプラグに関する。
【背景技術】
【０００２】
コンピューター設備で最も普及している信号伝送規格は、ＵＳＢ（Ｕｎｉｖｅｒｓａｌ  Ｓｅｒｉａｌ  Ｂｕｓ）に他ならないだろう。この規格によりつくられたコネクターソケット及び伝送線により、コンピューターのマウス、キーボード等の周辺設備に外付けでき、即ち、時にコンピューターに測定され、直ちに使用可能である。
【０００３】
現在ＵＳＢエレクトリックコネクトソケット及びＵＳＢエレクトリックコネクトプラグは共に、一方通行の接続である。ＵＳＢエレクトリックコネクトプラグをＵＳＢエレクトリックコネクトソケットに挿入時の接続を確保するため、両者は対応接続においてポカヨケ設計を有する。即ち、ＵＳＢエレクトリックコネクトプラグを反対方向に挿入しても挿入できず、使用者は方向を換えて挿入しなければならない。方向が正確であれば挿入でき、こうして挿入後の接続を確保することができる。
【０００４】
現在ＵＳＢには２．０と３．０の２種の規格がある。図１及び図２は、ＵＳＢ協会が定めたＡ型スタンダードＵＳＢ２．０エレクトリックコネクトソケット１０を示す。Ａ型スタンダードＵＳＢ２．０エレクトリックコネクトソケット１０には、絶縁台体１２及び金属ハウジング１３を設置する。絶縁台体１２前端上方には、水平が前方へ突出した舌板１２１を設置する。金属ハウジング１３は、絶縁台体１２を包み込み、しかも連接槽１６を形成し、舌板１２１を包み込む。連接槽１６は、舌板１２１の上、下面に、小空間１６１及び大空間１６２をそれぞれ形成する。絶縁台体１２には、一列が４個の第一端子１４を設置する。第一端子１４には、上下に弾動可能な接触部１４１を設置し、舌板１２１下面に突出する。金属ハウジング９２上下面は、連接槽１６へと突出し、２個の弾性係合フック１３１をそれぞれ設置する。
【０００５】
Ａ型スタンダードＵＳＢ２．０エレクトリックコネクトソケット１０の連接槽１６の高さは、５．１２ｍｍで、舌板１２１の高さは、１．８４ｍｍで、大空間１６２の高さは、２．５６ｍｍで、小空間１６１の高さは、０．７２ｍｍである。即ち、大空間１６２の高さ＝小空間１６１の高さ＋舌板１２１の高さである。
【０００６】
図３は、ＵＳＢ協会が定めたＡ型スタンダードＵＳＢ２．０エレクトリックコネクトプラグ２０とＡ型スタンダードＵＳＢ２．０エレクトリックコネクトソケット１０を示す。Ａ型スタンダードＵＳＢ２．０エレクトリックコネクトプラグ２０には、絶縁台体２１、金属ハウジング２２及び一列は４個で、端子２３を設置する。金属ハウジング２２は、絶縁台体２１を包み込む。Ａ型スタンダードエレクトリックコネクトプラグの連接部には、嵌合接続槽２４を設置し、舌板１２１を嵌合接続し、及び接触インターフェース基板２５を設置し、大空間１６２に嵌めて接続する。接触インターフェース基板２５の外層は、金属ハウジングで、内層は、絶縁台体である。一列は４個で、端子２３には、接触部２３１を設置し、接触インターフェース基板２５の内面に密着し、嵌合接続槽２４に面する。
【０００７】
ＵＳＢ協会が定めたＡ型スタンダードＵＳＢ２．０エレクトリックコネクトプラグ２０の連接部の高さは、４．５ｍｍで、嵌合接続槽２４の高さは、１．９５ｍｍで、金属ハウジングの厚みは、０．３ｍｍで、接触インターフェース基板２５の高さは、２．２５ｍｍである。
【０００８】
図３に示す通り、Ａ型スタンダードＵＳＢ２．０エレクトリックコネクトプラグ２０の接触インターフェース基板２５は、大空間１６２に対応させなければ、Ａ型スタンダードＵＳＢ２．０エレクトリックコネクトソケット１０の連接槽１６に挿入することはできない。もし反対に挿入すれば挿入できない。なぜなら、接触インターフェース基板２５の高さは、２．２５ｍｍで、高さが０．７２ｍｍの小空間１６１に挿入できないからである。よって、使用上不便である。
【０００９】
双方向ともに接続可能であれば、使用上の利便性は向上し、ニーズに応えることができる。よって、申請人は先に両面エレクトリックコネクト機能を備えたエレクトリックコネクトソケットを発明した。それは、Ａ型スタンダードＵＳＢ２．０エレクトリックコネクトプラグを、双方向挿入して接続できるものである。その後さらに、両面エレクトリックコネクトプラグの開発に取り組んだ。設計上は、図３に示すような高さが２．２５ｍｍの接触インターフェース基板２５を２個採用し、高さが１．９５ｍｍの嵌合接続槽２４を対応させる。しかし、このタイプの両面エレクトリックコネクトプラグは、上述の両面エレクトリックコネクト機能のエレクトリックコネクトソケットの二倍の伝送速度に達する接続にしか対応できず、しかもこのタイプの両面エレクトリックコネクトプラグの２個の接触インターフェース基板はともに、Ａ型スタンダードＵＳＢ２．０エレクトリックコネクトソケットの小空間に対応して挿入接続することができない。
上述の申請人が発明した両面エレクトリックコネクトソケットは、Ａ型スタンダードＵＳＢ２．０エレクトリックコネクトプラグを、双方向挿入して接続する必要があるため、全体的な高さが、Ａ型スタンダードＵＳＢ２．０エレクトリックコネクトソケットより大きく、コンパクトな電子製品には不利である。しかも、さらに発明した両面エレクトリックコネクトプラグもまた、Ａ型スタンダードＵＳＢ２．０エレクトリックコネクトソケットの双方向挿入接続はできず、しかも明らかにＡ型スタンダードＵＳＢ２．０エレクトリックコネクトプラグより大きく、実際のニーズに応えることはできない。
申請人は、研究を続け、コンパクトで、しかもＵＳＢ協会が定めたスタンダードエレクトリックコネクトソケットに符合し、双方向接続が可能な構造をついに開発することができた。
【発明の概要】
【発明が解決しようとする課題】
【００１０】
本発明の第一の目的は、ＵＳＢ協会が定めるスタンダードエレクトリックコネクトソケットに双方向挿入して電気的に接続可能で、使用上の利便性を達成する双方向エレクトリックコネクトプラグを提供することである。
【００１１】
本発明の第二の目的は、エレクトリックコネクトソケットに、双方向挿入して電気的に接続可能で、使用上の利便性を達成し、しかもその嵌合接続部は高さが小さく、優位であるコンパクトを達成可能な双方向エレクトリックコネクトプラグを提供することである。
【００１２】
本発明の第三の目的は、双方向エレクトリックコネクトプラグには、双方向挿入して電気的に接続可能で、使用上の利便性を達成し、しかもその連接槽は高さが小さく、優位であるコンパクトを達成可能な双方向エレクトリックコネクトソケットを提供することである。
【００１３】
本発明の第四の目的は、双方向エレクトリックコネクトプラグは、双方向エレクトリックコネクトソケットに双方向挿入可能で、しかも相同の電気的接続効果を形成でき、使用上の利便性を達成する双方向エレクトリックコネクトソケットと双方向エレクトリックコネクトプラグの組合せを提供することである。
【００１４】
本発明の第五の目的は、エレクトリックコネクトソケットに、双方向挿入して電気的に接続可能で、その絶縁台体は基台及び嵌合部材を有し、２個の接触インターフェースの多数の端子と基台とを埋め込み射出成形し、２個の接触インターフェースの多数の端子の延伸部は上下弾動可能で、しかも伸び出して、基台前方に位置し、嵌合部材は基台前方に嵌合し、しかも２個の接触インターフェースの多数の端子の延伸部を包み込み、これにより製造上の利便性を達成する双方向エレクトリックコネクトプラグを提供することである。
【００１５】
本発明の第六の目的は、絶縁台体には上下に重ねる上台体及び下台体を設置し、第一、二台体は少なくとも一列の端子とそれぞれ埋め込み射出成形でき、これにより製造上の利便性を達成する双方向エレクトリックコネクトプラグを提供することである。
【００１６】
本発明の第七の目的は、絶縁台体には上下に重ねる第一台体及び第二台体を設置し、第一、二台体は少なくとも一列の端子とそれぞれ埋め込み射出成形でき、これにより製造上の利便性を達成する双方向エレクトリックコネクトソケットを提供することである。
【００１７】
本発明の第八の目的は、双方向エレクトリックコネクトプラグは、双方向エレクトリックコネクトソケットに双方向挿入可能で、相同の電気的接続効果を形成でき、しかも二倍の伝送効果を達成可能である双方向のエレクトリックコネクトソケットとエレクトリックコネクトプラグの組合せを提供することである。
【課題を解決するための手段】
【００１８】
上述の目的を達成するため、本発明は下記の双方向エレクトリックコネクトソケット及び双方向エレクトリックコネクトプラグ及びその組合せを提供する。本発明による双方向エレクトリックコネクトプラグは、ＵＳＢ協会が定めるスタンダードエレクトリックコネクトソケットに挿入して接続可能である。該スタンダードエレクトリックコネクトソケットは、ＵＳＢ協会が定めるスタンダードエレクトリックコネクトプラグに対応して、挿入接続可能である。該スタンダードエレクトリックコネクトソケットには、連接槽を設置する。該連接槽の偏った片側には、舌板を設置し、該舌板は、対応する二面に、大空間及び小空間を設置し、該舌板の該大空間に面する一面には、一組の接触部を設置し、該スタンダードエレクトリックコネクトプラグの連接部には、嵌合接続槽及び接触インターフェース基板を設置し、該嵌合接続槽には、該舌板を嵌合して接続し、該接触インターフェース基板は、該大空間に嵌合する。
該双方向エレクトリックコネクトプラグは、絶縁台体、嵌合接続部を有する。該嵌合接続部は、該絶縁台体一端に設置し、該エレクトリックコネクトソケットの連接槽に挿入可能である。該嵌合接続部には、相同の高さで、しかも相互に対面する２個の接触インターフェース基板、及び嵌合接続空間を設置し、該２個の接触インターフェース基板には、それぞれ絶縁層を設置し、しかも両者の嵌合接続空間を隔てる。少なくとも１個の該接触インターフェース基板には、接触インターフェースを設置し、これにより該スタンダードエレクトリックコネクトソケットに電気的に接続する。
該嵌合接続部は、該スタンダードエレクトリックコネクトソケットの連接槽に正方向と反対方向の双方向挿入が可能で、該２個の接触インターフェース基板の高さは共に、小空間に挿入される。
該接触インターフェースは、多数の端子により形成され、各端子には、ピン、固定部及び延伸部が設置され、該固定部と該絶縁台体とは固定され、該延伸部は、該固定部一端に連接され、該接触インターフェース基板へと延伸し、しかも接触部を設置し、該ピンは、該固定部反対端に連接し、該絶縁台体に伸び出し、該多数の端子の接触部には、該接触インターフェースを形成し、しかも定位構造をさらに設置する。該定位構造は、該２個の接触インターフェース基板の絶縁層を定位する。
該絶縁台体は、上下に重なった上台体と下台体を有し、しかも金属ハウジングをさらに設置し、絶縁台体を包み込む。
該２個の接触インターフェース基板の外層は、該金属ハウジングで、しかも内層は、該絶縁層である。該上、下台体の内の少なくとも１個は該接触インターフェースの多数の端子と固定する。
【００１９】
本発明による双方向エレクトリックコネクトプラグは、エレクトリックコネクトソケットに挿入接続可能で、該エレクトリックコネクトソケットには、連接槽を設置する。該連接槽の中間の高さには、舌板を設置し、該舌板の２個の連接面には、対称の空間を形成し、該双方向エレクトリックコネクトプラグは、絶縁台体及び嵌合接続部を有する。
該嵌合接続部は、該絶縁台体一端に設置し、しかも該エレクトリックコネクトソケットの連接槽に挿入可能である。該嵌合接続部には、相同の高さで、しかも相互に対面する２個の接触インターフェース基板、及び嵌合接続空間を設置し、該２個の接触インターフェース基板には、それぞれ絶縁層を設置し、しかも両者の嵌合接続空間を隔てる。少なくとも１個の該接触インターフェース基板には、接触インターフェースを設置し、これにより該エレクトリックコネクトソケットに電気的に接続する。
該嵌合接続部は、該エレクトリックコネクトソケットの連接槽に正方向と反対方向の双方向挿入が可能である。該２個の接触インターフェース基板の高さは共に、該舌板の２個の連接面の空間に嵌合可能で、該嵌合接続空間には、該舌板を嵌合する。
該接触インターフェースは、多数の端子により形成され、各端子には、ピン、固定部及び延伸部が設置され、該固定部と該絶縁台体とは固定され、該延伸部は、該固定部一端に連接され、該接触インターフェース基板へと延伸し、しかも接触部を設置し、該ピンは、該固定部反対端に連接し、該絶縁台体に伸び出し、該多数の端子の接触部には、該接触インターフェースを形成し、しかも定位構造をさらに設置する。該定位構造は、２個の接触インターフェース基板の絶縁層を定位する。
該絶縁台体は、上下に重なった上台体と下台体を有し、しかも金属ハウジングをさらに設置し、絶縁台体を包み込む。
該２個の接触インターフェース基板の外層は、該金属ハウジングで、しかも内層は、該絶縁層である。該上、下台体の内の少なくとも１個は該接触インターフェースの多数の端子と固定する。
しかも該２個の接触インターフェース基板の高さは共に、請求項１に記載のスタンダードエレクトリックコネクトプラグの接触インターフェース基板より小さく、しかもスタンダードエレクトリックコネクトソケットの連接槽の小空間より大きく、しかも２．０ｍｍ以下である。
【００２０】
本発明による双方向エレクトリックコネクトプラグは、エレクトリックコネクトソケットに挿入接続可能で、該エレクトリックコネクトソケットには、連接槽を設置する。該連接槽の中間の高さには、舌板を設置し、該舌板の２個の連接面には、対称の空間を形成し、該双方向エレクトリックコネクトプラグは、絶縁台体及び嵌合接続部を有する。
該嵌合接続部は、該絶縁台体一端に設置し、しかも該エレクトリックコネクトソケットの連接槽に挿入可能である。該嵌合接続部には、相同の高さで、しかも相互に対面する２個の接触インターフェース基板、及び嵌合接続空間を設置し、該２個の接触インターフェース基板には、それぞれ絶縁層を設置し、しかも両者の嵌合接続空間を隔てる。少なくとも１個の該接触インターフェース基板には、接触インターフェースを設置し、これにより該エレクトリックコネクトソケットに電気的に接続する。
該嵌合接続部は、該エレクトリックコネクトソケットの連接槽に正方向と反対方向の双方向挿入が可能である。該２個の接触インターフェース基板の高さは共に、該舌板の２個の連接面の空間に嵌合可能で、該嵌合接続空間には、該舌板を嵌合する。
該接触インターフェースは、多数の端子により形成され、各端子には、ピン、固定部及び延伸部が設置され、該固定部と該絶縁台体とは固定され、該延伸部は、該固定部一端に連接され、該接触インターフェース基板へと延伸し、しかも接触部を設置し、該ピンは、該固定部反対端に連接し、該絶縁台体に伸び出し、該多数の端子の接触部には、該接触インターフェースを形成し、しかも定位構造をさらに設置する。該定位構造は、２個の接触インターフェース基板の絶縁層を定位する。
該絶縁台体は、上下に重なった上台体と下台体を有し、しかも金属ハウジングをさらに設置し、絶縁台体を包み込む。該金属ハウジングは、上台体と下台体に直接に接触する。
該２個の接触インターフェース基板の外層は、該金属ハウジングで、しかも内層は、該絶縁層である。該上、下台体の内の少なくとも１個は該接触インターフェースの多数の端子と固定する。
【００２１】
本発明による双方向エレクトリックコネクトソケットは、双方向エレクトリックコネクトプラグの嵌合接続部を挿入接続可能で、該嵌合接続部には、相同の高さで、しかも相互に対面する２個の接触インターフェース基板及び嵌合接続空間を設置し、該２個の接触インターフェース基板の嵌合接続空間を隔てる。該双方向エレクトリックコネクトソケットは、絶縁台体及び金属ハウジングを有する。
該絶縁台体の一端は突出し、舌板を設置し、該舌板に対称する２個の連接面の内の少なくとも一面には、接触インターフェースを設置し、これにより該双方向エレクトリックコネクトプラグに電気的に接続する。
該接触インターフェースは、多数の端子により形成され、各端子には、ピン、固定部及び延伸部が設置され、該固定部と該絶縁台体とは固定され、該延伸部は、該固定部一端に連接され、該接触インターフェース基板へと延伸し、しかも接触部を設置し、該ピンは、該固定部反対端に連接し、該絶縁台体に伸び出し、該多数の端子の接触部には、該接触インターフェースを形成する。
金属ハウジングは、該絶縁台体を包み込む。該金属ハウジング内には連接槽を形成し、該舌板を包み込む。
該舌板は、該連接槽の中間の高さに位置し、該舌板の２個の連接面は、対称の空間を形成し、該双方向エレクトリックコネクトプラグの嵌合接続部は、該連接槽に双方向挿入が可能で、該２個の接触インターフェース基板の高さは共に、該舌板の２個の連接面の空間に嵌合可能である。該嵌合接続空間には、該舌板を嵌合し、しかも２個の連接面の空間の高さは共に請求項１に記載のスタンダードエレクトリックコネクトソケットの大空間より小さく、しかも２．１ｍｍより小さく、かつ小空間より大きく、しかもＵＳＢ協会が定める最も小さい高さの規格のスタンダードエレクトリックコネクトソケットの大空間より大きい。
該絶縁台体は、相互に重なった第一台体と第二台体を有し、該第一、第二台体の内の少なくとも１個は該接触インターフェースの多数の端子と固定する。
【００２２】
本発明による双方向エレクトリックコネクトソケットは、双方向エレクトリックコネクトプラグの嵌合接続部を挿入接続可能で、該嵌合接続部には、相同の高さで、しかも相互に対面する２個の接触インターフェース基板及び嵌合接続空間を設置し、該２個の接触インターフェース基板の嵌合接続空間を隔てる。該双方向エレクトリックコネクトソケットは、絶縁台体及び金属ハウジングを有する。
該絶縁台体の一端は突出し、舌板を設置し、該舌板に対称する２個の連接面の内の少なくとも一面には、接触インターフェースを設置し、これにより該双方向エレクトリックコネクトプラグに電気的に接続する。
該接触インターフェースは、多数の端子により形成され、各端子には、ピン、固定部及び延伸部が設置され、該固定部と該絶縁台体とは固定され、該延伸部は、該固定部一端に連接され、該接触インターフェース基板へと延伸し、しかも接触部を設置し、該ピンは、該固定部反対端に連接し、該絶縁台体に伸び出し、該多数の端子の接触部には、該接触インターフェースを形成する。
金属ハウジングは、該絶縁台体を包み込む。該金属ハウジング内には連接槽を形成し、該舌板を包み込む。
該舌板は、該連接槽の中間の高さに位置し、該舌板の２個の連接面は、対称の空間を形成し、該双方向エレクトリックコネクトプラグの嵌合接続部は、該連接槽に双方向挿入が可能で、該２個の接触インターフェース基板の高さは共に、該舌板の２個の連接面の空間に嵌合可能で、該嵌合接続空間には、該舌板を嵌合し、しかも２個の連接面の空間の高さは共に請求項１に記載のスタンダードエレクトリックコネクトソケットの大空間より小さく、かつ小空間より大きく、該スタンダードエレクトリックコネクトソケットは、ＵＳＢ協会が定める最も小さい高さの規格である。
該絶縁台体は、相互に重なった第一台体と第二台体を有し、該第一、第二台体の内の少なくとも１個は該接触インターフェースの多数の端子と固定する。
【発明の効果】
【００２３】
本発明は以下の長所を備える。
１．本発明の双方向エレクトリックコネクトプラグは、ＵＳＢ協会が定めるスタンダードエレクトリックコネクトソケットに双方向挿入して電気的に接続可能で、使用上の利便性を達成する。
２．本発明の双方向エレクトリックコネクトプラグは、エレクトリックコネクトソケットに、双方向挿入して電気的に接続可能で、使用上の利便性を達成し、しかもその嵌合接続部は高さが小さく、優位であるコンパクトを達成可能である。
３．本発明の双方向エレクトリックコネクトソケットは、双方向エレクトリックコネクトプラグに、双方向挿入して電気的に接続可能で、使用上の利便性を達成し、しかもその連接槽は高さが小さく、優位であるコンパクトを達成可能である。
４．本発明双方向のエレクトリックコネクトソケットとエレクトリックコネクトプラグの組合せにおいて、双方向エレクトリックコネクトプラグは、双方向エレクトリックコネクトソケットに双方向挿入可能で、しかも相同の電気的接続効果を形成でき、使用上の利便性を達成する。
５．本発明の双方向のエレクトリックコネクトソケットとエレクトリックコネクトプラグの組合せにおいて、双方向エレクトリックコネクトプラグは、双方向エレクトリックコネクトソケットに双方向挿入可能で、しかも相同の電気的接続効果を形成でき、しかも二倍の伝送効果を達成可能である。
６．本発明の双方向エレクトリックコネクトプラグの絶縁台体は基台及び嵌合部材を有し、２個の接触インターフェースの多数の端子と基台とを埋め込み射出成形し、２個の接触インターフェースの多数の端子の延伸部は上下弾動可能で、しかも伸び出して、基台前方に位置し、嵌合部材は基台前方に嵌合し、しかも２個の接触インターフェースの多数の端子の延伸部を包み込み、これにより製造上の利便性を達成する。
７．本発明のエレクトリックコネクトソケットの絶縁台体には上下に重ねる第一台体及び第二台体を設置し、第一、二台体は少なくとも一列の端子とそれぞれ埋め込み射出成形でき、これにより製造上の利便性を達成する。
８．本発明の双方向エレクトリックコネクトプラグの絶縁台体には上下に重ねる上台体及び下台体を設置し、第一、二台体は少なくとも一列の端子とそれぞれ埋め込み射出成形でき、これにより製造上の利便性を達成する。
【図面の簡単な説明】
【００２４】
【図１】ＵＳＢ協会が定めた従来のスタンダードＵＳＢ２．０エレクトリックコネクトソケットの側視断面図である。
【図２】ＵＳＢ協会が定めた従来のスタンダードＵＳＢ２．０エレクトリックコネクトソケットの前視図である。
【図３】ＵＳＢ協会が定めた従来のスタンダードＵＳＢ２．０エレクトリックコネクトソケットとスタンダードＵＳＢ２．０エレクトリックコネクトプラグの側視断面図である。
【図４】本発明第一実施形態による両面プラグの側視断面図である。
【図５】本発明第一実施形態による両面プラグの前視断面図である。
【図６】本発明第一実施形態による両面プラグの上視断面図である。
【図７】本発明第一実施形態による両面プラグの使用状態側視断面図である。
【図８】本発明第一実施形態による片面ソケットの側視断面図である。
【図９】本発明第一実施形態による前視図である。
【図１０】本発明第一実施形態による片面ソケットと両面プラグ組合せの側視断面図である。
【図１１】本発明第一実施形態による両面ソケットの側視断面図である。
【図１２】本発明第一実施形態による両面ソケットの前視図である。
【図１３】本発明第一実施形態による両面ソケットと片面プラグ組合せの側視断面図である。
【図１４】本発明第一実施形態による両面ソケットと両面プラグ組合せの側視断面図である。
【図１５】本発明第一実施形態によるもう一つの両面プラグの前視断面図である。
【図１６】本発明第一実施形態によるもう一つの両面プラグの前視断面図である。
【図１７】本発明第二実施形態による両面プラグの（第一端子４０の位置における）側視断面図である。
【図１８】本発明第二実施形態による両面プラグの前視断面図である。
【図１９】本発明第二実施形態による両面プラグの上視断面図である。
【図２０】本発明第二実施形態による両面プラグの（第二端子５０の位置における）側視断面図である。
【図２１】本発明第二実施形態による両面プラグの二列の端子配列の上視図である。
【図２２】本発明第二実施形態による両面プラグの後視断面図である。
【図２３】本発明第二実施形態による両面プラグの使用状態側視断面図である。
【図２４】本発明第二実施形態による両面プラグの使用状態側視断面図である。
【図２５】本発明第二実施形態によるもう一つの両面プラグの（第一端子４０の位置における）側視断面図である。
【図２６】本発明第二実施形態による片面ソケットの前視図である。
【図２７】本発明第二実施形態による片面ソケットと両面プラグ組合せの側視断面図である。
【図２８】本発明第二実施形態による両面ソケットの前視図である。
【図２９】本発明第二実施形態による両面ソケットと片面プラグ組合せの側視断面図である。
【図３０】本発明第二実施形態による両面ソケットと両面プラグ組合せの側視断面図である。
【図３１】本発明第二実施形態によるもう一つの両面プラグの（第一端子４０の位置における）側視断面図である。
【図３２】本発明第二実施形態によるもう一つの両面プラグの（第二端子５０の位置における）側視断面図である。
【図３３】本発明第二実施形態によるもう一つの両面プラグの使用状態側視断面図である。
【図３４】本発明第三実施形態による両面プラグの側視断面図である。
【図３５】本発明第三実施形態による両面プラグの前視断面図である。
【図３６】本発明第三実施形態による両面プラグの上視断面図である。
【図３７】本発明第三実施形態による両面プラグの使用状態側視断面図である。
【図３８】本発明第三実施形態による片面ソケットの側視断面図である。
【図３９】本発明第三実施形態による片面ソケットの前視図である。
【図４０】本発明第三実施形態による片面ソケットと両面プラグ組合せの側視断面である。
【図４１】本発明第三実施形態による両面ソケットの側視断面図である。
【図４２】本発明第三実施形態による両面ソケットの前視図である。
【図４３】本発明第三実施形態による両面ソケットと片面プラグ組合せの側視断面図である。
【図４４】本発明第三実施形態による両面ソケットと両面プラグ組合せの側視断面図である。
【図４５】本発明第四実施形態の前視断面図である。
【図４６】本発明第五実施形態の前視断面図である。
【図４７】本発明第六実施形態の前視断面図である。
【図４８】本発明第七実施形態の上視図である。
【図４８Ａ】本発明第七実施形態の断面図である。
【図４９】本発明第八実施形態の上視図である。
【図４９Ａ】本発明第八実施形態の断面図である。
【図５０】本発明第九実施形態の上視図である。
【図５０Ａ】本発明第九実施形態の断面図である。
【図５１】本発明第十実施形態の上視図である。
【図５１Ａ】本発明第十実施形態の断面図である。
【図５２】本発明第十一実施形態の側視断面分解図である。
【図５３】本発明第十一実施形態の側視断面組合せ図である。
【図５４】本発明第十一実施形態の前視断面組合せ図である。
【図５５】本発明第十一実施形態の側視断面分解図である。
【図５６】本発明第十一実施形態の側視断面組合せ図である。
【図５７】本発明第十一実施形態の前視断面組合せ図である。
【図５８】本発明第十二実施形態の側視断面分解図である。
【図５９】本発明第十二実施形態の側視断面組合せ図である。
【図６０】本発明第十二実施形態の前視断面組合せ図である。
【図６１】本発明第十二実施形態の側視断面分解図である。
【図６２】本発明第十二実施形態の側視断面組合せ図である。
【図６３】本発明第十二実施形態の側視断面組合せ図である。
【図６４】本発明第十三実施形態によるプラグの立体図である。
【図６５】本発明第十三実施形態によるプラグの上視断面図である。
【図６６】本発明第十三実施形態によるプラグの側視断面図である。
【図６７】本発明第十三実施形態によるソケットの立体図である。
【図６８】本発明第十三実施形態によるソケットの前視図である。
【図６９】本発明第十四実施形態の上視断面図である。
【図６９Ａ】本発明第十四実施形態による一端プラグの前視断面図である。
【図７０】本発明第十五実施形態の上視断面図である。
【図７１】本発明第十五実施形態による一端プラグの前視断面図である。
【図７２】本発明第十五実施形態による反対端ソケット前視断面図である。
【図７３】本発明第十五実施形態の側視断面図である。
【図７４】本発明第十六実施形態の立体分解図である。
【図７５】本発明第十六実施形態の立体組合せ図である。
【図７６】本発明第十六実施形態の側視断面図である。
【図７７】本発明第十七実施形態によるソケットとプラグの側視断面組合せ図である。
【図７８】本発明第十七実施形態によるプラグの側視断面図である。
【図７９】本発明第十七実施形態によるプラグの前視図である。
【図８０】本発明第十七実施形態によるプラグの立体分解図である。
【図８１】本発明第十七実施形態によるプラグの嵌合部材の立体図である。
【図８２】本発明第十七実施形態によるプラグの金属隔絶板の側視図である。
【図８３】本発明第十七実施形態によるソケット頭の側視断面組合せ図である。
【図８４】本発明第十七実施形態によるソケットの絶縁台体の前視図である。
【図８５】本発明第十七実施形態によるソケットの視断面組合せ図である。
【図８６】本発明第十八実施形態によるプラグの立体分解図である。
【図８７】本発明第十八実施形態によるプラグの立体図である。
【図８８】本発明第十八実施形態によるプラグの前視断面図である。
【図８９】本発明第十八実施形態によるプラグの端子の立体図である。
【図９０】本発明第十八実施形態によるソケットの立体分解図である。
【図９１】本発明第十八実施形態によるソケットの前視図である。
【図９２】本発明第十九実施形態によるプラグの前視断面図である。
【図９３】本発明第十九実施形態によるソケットの前視図である。
【発明を実施するための形態】
【００２５】
以下に図面を参照しながら本発明を実施するための最良の形態について詳細に説明する。
【００２６】
図４〜図１６は、本発明第一実施形態の、双方向ＵＳＢ２．０エレクトリックコネクトプラグ及び双方向ＵＳＢ２．０エレクトリックコネクトソケットである。
【００２７】
図４、図５及び図６に示す通り、本実施形態による双方向両面ＵＳＢ２．０エレクトリックコネクトプラグ１００は、絶縁台体３０、二列の第一端子４０、金属ハウジング６０、嵌合接続部７５、定位構造及び後キャップ７０を有する。
【００２８】
絶縁台体３０は、プラスチック射出成形し、その前段には、嵌合接続空間７７を設置する。絶縁台体３０は、嵌合接続空間７７の上、下、左、右面に形成され、該絶縁台体３０前段断面は、口字形枠体構造で、嵌合接続空間７７の挿入口は前に向かう。
該絶縁台体３０には、二列の第一端子槽３１を設置し、第一端子槽３１の中央には、凹部３２を設置する。
金属ハウジング６０は、絶縁台体３０を包み込む。金属ハウジング６０の前視形状は、方形を呈し、上下対称で、しかも左右対称である。
【００２９】
嵌合接続部７５は、絶縁台体３０前端に設置する。嵌合接続部７５は、相互に対面する２個の接触インターフェース基板７６及び嵌合接続空間７７に設置する。
２個の接触インターフェース基板７６には共に、絶縁層７６１を設置し、しかも嵌合接続空間７７を隔てる。２個の接触インターフェース基板７６の内層の絶縁層７６１は、絶縁台体３０により一体成形され、しかも外層は、金属ハウジング６０である。
嵌合接続空間７７は同様に、絶縁台体３０の嵌合接続空間７７で、２個の接触インターフェース基板７６内層の絶縁層７６１は即ち、嵌合接続空間７７の上下面である。
２個の接触インターフェース基板７６には、ＵＳＢ２．０接触インターフェースをそれぞれ設置し、これによりＡ型スタンダードＵＳＢ２．０エレクトリックコネクトソケットに電気的に接続する。２個のＵＳＢ２．０接触インターフェースは、二列の第一端子４０により形成され、２個のＵＳＢ２．０接触インターフェースは、絶縁台体３０後端に電気的に接続する。
２個のＵＳＢ２．０接触インターフェースは、相同の接触インターフェースで、しかも接点回路シリアルナンバーは相互に反対方向に配列する。
嵌合接続部７５の外形は、方形を呈し、上下対称で、しかも左右対称である。嵌合接続部７５は、Ａ型スタンダードＵＳＢ２．０エレクトリックコネクトソケットの連接槽に正方向と反対方向の双方向挿入が可能で、２個の接触インターフェース基板７６は共に、小空間に挿入される。
【００３０】
定位構造は、絶縁台体３０前段の二側壁３４に一体成形される。二側壁３４は、２個の接触インターフェース基板７６の絶縁層両側の間に一体に連接され、これにより２個の接触インターフェース基板７６の絶縁層７６１を定位する。
２個の接触インターフェース基板７６の絶縁層７６１は、嵌合接続空間７７の上下面で、二側壁３４は、嵌合接続空間７７の左右面である。
【００３１】
二列の第一端子４０は共に、一列は４個で、しかも絶縁台体３０の二列の第一端子槽３１に固定される。第一端子４０は、一端からもう一端へと順番に、ピン４１、固定部４２及び延伸部４３を設置する。
固定部４２と第一端子槽３１は固定し、延伸部４３は、固定部４２前端に連接し、接触インターフェース基板７６へと延伸し、しかも接触部４４を設置する。
接触部４４は、接触インターフェース基板７６内面に弾動不可にアライメントし、延伸部４３前端には、係合定位部４５を設置し、凹部３２前端に形成された係合孔に係合する。
ピン４１は、固定部４２反対端に連接し、絶縁台体３０後端に伸び出し、しかも末段には接線部４１１を形成する。
二列の第一端子４０の接触部４４は、２個の接触インターフェース基板７６のＵＳＢ２．０接触インターフェースをそれぞれ形成する。
２個のＵＳＢ２．０接触インターフェースは、相同の接触インターフェースで、しかも接点回路シリアルナンバーは相互に反対方向に配列する。図５に示す通り、上方のＵＳＢ２．０接触インターフェースの接点回路シリアルナンバーは、左から右へ１、２、３、４と配列し、下方のＵＳＢ２．０接触インターフェースの接点回路シリアルナンバーは左から右へ４、３、２、１と配列する。
【００３２】
後キャップ７０は、金属ハウジング後段内かつ絶縁台体の後端に緊密に嵌合する。後キャップ７０は、三点式組合せで、これにより二列の第一端子４０のピン４１は通過して緊密に嵌合される。後キャップ７０は、二列の第一端子槽３１の絶縁台体３０後端に連通する孔隙に嵌め入れられる。
【００３３】
本実施形態では、コネクトケーブルのジョイントとし、シリコン流し込み方式により絶縁のハウジング８０を成形し、金属ハウジング６０後段を包み込む。後キャップ７０を設置することにより、シリコン流し込み製造プロセスにおける、シリコンの第一端子槽３１への流入を回避できる。二列の第一端子４０のピンの接線部４１１は、相同接点回路シリアルナンバーで、同一電線８５につながる。
【００３４】
以上の構造により、図７に示す通り、嵌合接続部７５の２個の接触インターフェース基板７６の高さは共に、Ａ型スタンダードＵＳＢ２．０エレクトリックコネクトソケット１０の連接槽１６の小空間１６１に嵌め入れることができるため、嵌合接続部７５は正方向であろうと反対方向であろうと、Ａ型スタンダードＵＳＢ２．０エレクトリックコネクトソケット１０の連接槽１６に挿入可能である。しかも、２個の接触インターフェース基板７６の内の一つのＵＳＢ２．０接触インターフェース（接触部４４）とＡ型スタンダードＵＳＢ２．０エレクトリックコネクトソケット１０の舌板１２１下面のＵＳＢ２．０接触インターフェース（接触部１４１）とは、電気的に接続する。
【００３５】
本実施形態による嵌合接続部７５の２個の接触インターフェース基板７６は、相同の高さで各約０．６５ｍｍで、嵌合接続空間７７は約１．９５ｍｍである。よって、嵌合接続部７５の高さは約３．２５ｍｍで、明らかにＡ型スタンダードＵＳＢ２．０エレクトリックコネクトプラグ２０の連接部の高さ（４．５ｍｍ）より小さい。しかも、Ａ型スタンダードＵＳＢ２．０エレクトリックコネクトソケット１０の連接槽１６の大空間１６２（２．６５ｍｍ）より大きい。
よって、使用において、嵌合接続部７５が大空間１６２に誤って挿入されることはない。設計上、接触インターフェース基板７６の高さは、０．５ｍｍ〜０．８５ｍｍの間で、嵌合接続部７５の高さは、３ｍｍ〜４ｍｍの間である。
【００３６】
ＭＩＣＲＯ  ＵＳＢは、現在は、ＵＳＢ協会が定める最も小さい高さの規格であり、ＵＳＢ協会で規格化された標準型ＭＩＣＲＯ  ＵＳＢエレクトリックコネクトプラグの接触インターフェース基板の高さは０．９ｍｍであるに対して、標準型ＭＩＣＲＯ  ＵＳＢエレクトリックコネクトソケットの大空間は ０．９７ｍｍであり、０．２８ｍｍの小空間である。本実施形態の２つの接触インターフェース基板の高さは０．６５ｍｍであるため、ＵＳＢ協会で規定された最小高さ規格の標準型エレクトリックコネクトプラグの嵌合接続インタフェース基板よりも小さく、かつＵＳＢ協会で規定された、最小高さ規格の標準型エレクトリックコネクトソケットの連接槽の小空間よりも大きい。
【００３７】
以上の説明により明らかなように、本実施形態によるプラグは以下の長所を備える。
１．嵌合接続部７５は正方向であろうと反対方向であろうと、Ａ型スタンダードＵＳＢ２．０エレクトリックコネクトソケット１０の連接槽１６に挿入可能で、電気的に接続でき、使用において非常に便利である。
２．嵌合接続部７５の高さは約３．２５ｍｍで、明らかにＡ型スタンダードＵＳＢ２．０エレクトリックコネクトプラグ２０の連接部の高さ（４．５ｍｍ）より小さいため、コンパクトという優位を備える。
３．構造がシンプルで、製造が容易である。
【００３８】
図８及び図９に示す通り、本実施形態による双方向片面ＵＳＢ２．０エレクトリックコネクトソケット９０は、絶縁台体９２、金属ハウジング９３、一列の第一端子９４及び後蓋９７を有する。
絶縁台体９２は、プラスチック射出成形し、その前端中央には、水平延伸を呈する舌板９２１を突出状に設置する。舌板９２１の下面には、ＵＳＢ２．０接触インターフェースを設置する。ＵＳＢ２．０接触インターフェースは、一列の第一端子９４により形成される。接触インターフェースは、絶縁台体３０後端に電気的に接続する。
金属ハウジング９３は、絶縁台体９２及び舌板９２１を包み込み、絶縁台体９２前端に、連接槽９６を形成する。舌板９２１は、連接槽９６の中間の高さに位置する。舌板９２１の上下面は、対称空間を形成する。連接槽９６の外形は、方形を呈し、上下対称で、しかも左右対称である。
一列の第一端子９４は、絶縁台体９２に組み付け、或いは埋め込み射出成形される。各端子には、ピン９４１、固定部９４２及び延伸部９４３が設置される。固定部９４２と該絶縁台体９２とは固定される。延伸部９４３は、固定部９４２前端に連接され、舌板９２１まで延伸し、しかも接触部９４４を設置する。接触部９４４は、舌板９２１下面に突出し、しかも上下弾動可能である。ピン９４１は、固定部９４２後端に連接され、絶縁台体に伸び出す。一列の第一端子９４の接触部９４４には、ＵＳＢ２．０接触インターフェースを形成する。
後蓋９７は、絶縁台体９２後方及び下方に蓋をし、これにより一列の第一端子９４のピン９４１を定位できる。
【００３９】
本実施形態の特徴は、以下の通りである。連接槽９６の、舌板９２１の上下２個の連接面の空間は相同の高さで、約０．７２ｍｍで、共に、前述のＡ型スタンダードＵＳＢ２．０エレクトリックコネクトソケットの大空間１６２より小さく、おおよそ相同の小空間である。
舌板９２１の高さは、１．８４ｍｍで、連接槽９６の高さは約３．３ｍｍで、明らかに前述Ａ型スタンダードＵＳＢ２．０エレクトリックコネクトソケット１０より小さい。
よって、エレクトリックコネクトプラグの嵌合接続部は、連接槽９６に双方向挿入が可能である。
【００４０】
以上の構造により、図１０に示す通り、上述の双方向両面ＵＳＢ２．０エレクトリックコネクトプラグ１００の嵌合接続部７５の２個の接触インターフェース基板７６の高さは共に、連接槽９６の舌板９２１の上下２個の連接面の空間に、嵌め入れ可能である。よって、嵌合接続部７５は、正方向であろうと反対方向であろうと、双方向片面ＵＳＢ２．０エレクトリックコネクトソケット９０の連接槽９６に挿入可能である。しかも、２個の接触インターフェース基板７６の内の一つのＵＳＢ２．０接触インターフェース（接触部４４）と双方向片面ＵＳＢ２．０エレクトリックコネクトソケット９０の舌板９２１下面のＵＳＢ２．０接触インターフェース（接触部９４４）とは、電気的に接続する。
双方向両面ＵＳＢ２．０エレクトリックコネクトプラグの嵌合接続部７５と双方向片面ＵＳＢ２．０エレクトリックコネクトソケット９０の連接槽９６の両者は、最適な嵌合を達成できる。即ち、２個の接触インターフェース基板７６と連接槽９６の舌板９２１の上下２個の連接面の空間は共に、緊密に対応して嵌合し、嵌合間隙は、０．１５ｍｍより小さい。こうして、図７に示す通り、接触インターフェース基板７６の、大空間１６２における余白空間が大きすぎるという状況は発生しない。
【００４１】
本実施形態は設計上、連接槽９６の舌板９２１の上下２個の連接面の空間は、相同の高さでも不等の高さでもよく、高さは０．５５ｍｍ〜２．１ｍｍの間とすることができる。
連接槽９６の高さは設計上、３ｍｍ〜６ｍｍの間とできる。
こうして対応し挿入接続される双方向ＵＳＢ２．０エレクトリックコネクトプラグの接触インターフェース基板の高さは、０．５ｍｍ〜２．０ｍｍの間で、嵌合接続部の高さは３ｍｍ〜６ｍｍの間である。
【００４２】
図１１及び図１２に示す通り、本実施形態によるＵＳＢ２．０双方向両面エレクトリックコネクトソケット９０１はおおよそ、双方向片面ＵＳＢ２．０エレクトリックコネクトソケット９０と相同である。
両者の差異は以下の通りである。
本実施形態は、一列の第一端子９４を増設し、舌板９２１上面にもＵＳＢ２．０接触インターフェースを形成する。舌板９２１上、下面のＵＳＢ２．０接触インターフェースは、相同の接触インターフェースで、しかも接点回路シリアルナンバーは相互に反対方向に配列する。
【００４３】
図１３に示す通り、双方向片面ＵＳＢ２．０エレクトリックコネクトプラグ１０４はおおよそ、双方向両面ＵＳＢ２．０エレクトリックコネクトプラグ１００と相同である。
両者の差異は以下の通りである。
図１３に示す実施形態では、嵌合接続部７５の２個の接触インターフェース基板７６の内の一つにのみ、ＵＳＢ２．０接触インターフェースを設置する。よって、嵌合接続部７５は、正方向であろうと反対方向であろうと、双方向両面ＵＳＢ２．０エレクトリックコネクトソケット９０１の連接槽９６に挿入可能である。しかも、接触インターフェース基板７６のＵＳＢ２．０接触インターフェース（接触部４４）は必然的に、双方向両面ＵＳＢ２．０エレクトリックコネクトソケット９０１の舌板９２１上、下面の内のいずれか一つのＵＳＢ２．０接触インターフェース（接触部９４４）と電気的に接続する。
【００４４】
図１４に示す通り、双方向両面ＵＳＢ２．０エレクトリックコネクトプラグ１００の嵌合接続部７５は、正方向であろうと反対方向であろうと、双方向両面ＵＳＢ２．０エレクトリックコネクトソケット９０１の連接槽９６に挿入可能である。こうして、プラグとソケットの両接触インターフェースは共に、双方向に対応接続可能で、使用上の利便性を達成し、しかも二倍の伝送速度を達成できる。
しかも、本実施形態によるプラグとソケットは共に従来のものと比べ、よりコンパクトである。
【００４５】
図１４及び図１３に示す通り、プラグの２個の接触インターフェース基板７６とソケットの連接槽９６の舌板９２１の上下２個の連接面の空間は共に、緊密に対応して嵌合し、嵌合間隙は、０．１５ｍｍより小さい。
【００４６】
図１５は、本実施形態による双方向両面ＵＳＢ２．０エレクトリックコネクトプラグの別種の実施例を示す。両者の差異は以下の通りである。本実施例では、絶縁台体３０は、上台体３０１と下台体３０２とを重ねて形成される。
上台体３０１前段断面は、下向きのコの字型を呈し、下台体３０２前段断面は、上向きのコの字型を呈する。
上、下台体３０１、３０２は、一列の第一端子４０とそれぞれ埋め込み射出成形する。
上、下台体３０１、３０２には、接触インターフェース基板７６の絶縁層をそれぞれ成形する。２個の接触インターフェース基板７６の絶縁層の左右側には、Ｌ字型を呈する補強片３５をそれぞれ組み付け、或いは埋め込み射出成形する。
上述の上、下台体３０１、３０２には、一列の端子槽をそれぞれ設置し、一列の第一端子をそれぞれ組み付ける。
【００４７】
図１６は、本実施形態による双方向両面ＵＳＢ２．０エレクトリックコネクトプラグの別種の実施例である。両者の差異は以下の通りである。本実施例では、補強片３５は一文字型を呈し、しかも絶縁台体３０は、二列の第一端子と一体に埋め込み射出成形される。
【００４８】
図１７〜図３３は、本発明第二実施形態の双方向ＵＳＢ３．０エレクトリックコネクトプラグ及び双方向ＵＳＢ３．０エレクトリックコネクトソケットを示す。
【００４９】
図１７〜図２０に示す通り、本実施形態による双方向両面ＵＳＢ３．０エレクトリックコネクトプラグ１０３はおおよそ、第一実施形態と相同である。両者の差異は以下の通りである。
本実施形態では、二列の各５個の第二端子５０を設置する。絶縁台体３０には、上下に重ねる上、下台体３０１、３０２を設置する。上、下台体３０１、３０２には、一列の５個の第二端子槽３３をそれぞれ設置する。第二端子槽３３の各列は接触インターフェース基板７６まで延伸し、絶縁層７６１内に間隔をあけて配置された、窪みを有する弾性空間７６２の列を形成する。絶縁層７６１は、窪み列の弾性空間７６２内に底面７６３を備え、 金属ハウジング６０から分離されている。二列の第二端子５０は、二列の第二端子槽３３にそれぞれ組み付けられる。二列の第一端子４０は、上下の台体３０１、３０２にそれぞれ埋め込まれて固定され、射出成形される。
上、下台体３０１、３０２間には、水平に延伸する金属隔絶板８７を設置する。これにより、二列の第二端子５０を隔て、相互の電気的干渉を減らし、高速伝送に利する。
【００５０】
図２０に示す通り、第二端子５０は、一端からもう一端へと順番にピン５１、固定部５２及び延伸部５３を設置する。
固定部５２と第二端子槽３３とは固定する。
延伸部５３は、固定部５２前端に連接され、接触インターフェース基板７６へと延伸し、しかも末段は反対に折れ、接触部５４を設置する。
接触部５４は、延伸部５３未端の断面である。接触部５４は上下弾動可能で、しかも接触インターフェース基板７６内面に突出する。
ピン５１は、固定部５２反対端に連接され、絶縁台体３０後端に伸び出し、しかも末段には接線部５１１を形成する。
二列の第一端子４０の接触部４４と二列の第二端子５０の接触部５４には、２個の接触インターフェース基板７６のＵＳＢ３．０接触インターフェースをそれぞれ形成する。
２個のＵＳＢ３．０接触インターフェースは、相同の接触インターフェースで、しかも接点回路シリアルナンバーは相互に反対方向に配列する。
図１８に示す通り、上方の一列の第一端子の接触部４４の接点回路シリアルナンバーは、左から右へ１、２、３、４と配列し、一列の第二端子の接触部５４の接点回路シリアルナンバーは、左から右へ９、８、７、６、５と配列する。下方の一列の第一端子の接触部４４の接点回路シリアルナンバーは左から右へ４、３、２、１と配列し、一列の第二端子の接触部５４の接点回路シリアルナンバーは、左から右へ５、６、７、８、９と配列する。
【００５１】
図１７から図２０までを参照すると、2つの接触インターフェース基板７６はすべて、前方列の第一端子の接触部４４と、後方列の第二端子の接触部５４とを形成する。前方列の接触部４４の幅は、後方列の接触部５４の幅よりも広く、前方列の４つの接触部４４の数は、後方列５つの接触部５４の数よりも少なく、前方列の接触部４４の配置幅は、後方列接触部５４の配置幅よりも狭い。２つの接触インターフェース基板の絶縁層７６１には、接触部４４、５４の前後の列を隔てるための横方向の前後分離領域７６４が設置されている。
【００５２】
２つの接触インターフェース基板７６には、後方列接触部５４が上下弾動の時、金属ハウジング６０に上下に接触しないように、後方列の接触部に対応する仕切構造が設けられており、該仕切構造が弾動空間７６２および底面７６３である。
【００５３】
前方列の接触部４４は、固定部４２に接続され、固定部４２は、接触インターフェース基板７６に延伸して配置されている。後方列接触部５４の第二端子５０の固定部５２は絶縁台体３０に延伸して位置決めされる。
【００５４】
該２つの接触インターフェース基板の後方列接触部５４は、前方列接触部４４よりも嵌合接続空間７７の中心高さに近く、該二列の接触部４４、５４の排列は前が低く、後が高い形態を呈する。
【００５５】
ＵＳＢ３．０接触インターフェースはＵＳＢ協会の規格では、前方列接触部４４の接点回路シリアル番号１は接地接触部、接点回路シリアル番号４は電源接触部、接点回路シリアル番号３．２は１対の信号接触部であり、 そして彼らはＤ＋、Ｄ−である。後方列の接触部５４の接点回路シリアル番号７は接地接触部であり、接点回路シリアル番号６．５および接点回路シリアル番号９．８は２対の信号接触部であり、それぞれＲＸ＋、ＲＸ−とＴＸ＋、ＴＸ−である。したがって、ＵＳＢ３．０接触インターフェースは、３対の信号接触部を備え、かつ前方列および後方列接触部の各々は、接地接触部を備える。
【００５６】
前方列接触部４４は、固定部４２に連接され、接触インターフェース基板７６に延伸して位置決めされている。後方列接触部５４の端子５０の固定部５２は、絶縁台体３０に延伸して位置決めされている。
【００５７】
図２１に示す通り、各列の第二端子５０の中央端子は、接地端子で、中央端子の両側はそれぞれ一対の信号端子である。
設計上、各対の信号端子は相互に接近すると高速伝送に利するため、両側の２個の第二端子５０の固定部５２とピン５１とは、相互に接近する。
【００５８】
図２２に示す通り、後キャップ７０は、三点式組合せで、上部７２、中部７１及び下部７３を有する。
これにより、二列の第一端子４０のピン４１及び二列の第二端子５０のピン５１は貫通して緊密に嵌合される。後キャップ７０は主に、二列の第二端子槽３３の絶縁台体３０後端まで連通する孔隙を塞ぐ。
【００５９】
以上の構造により、図２３に示す通り、嵌合接続部７５の２個の接触インターフェース基板７６の高さは共に、Ａ型スタンダードＵＳＢ３．０エレクトリックコネクトソケット１１の連接槽１６の小空間１６１に挿入可能である。
Ａ型スタンダードＵＳＢ３．０エレクトリックコネクトソケット１１と前述のＡ型スタンダードＵＳＢ２．０エレクトリックコネクトソケット１０の構造おおよそ相同で、両者の差異は、一列の５個の第二端子１５の増設である。
第二端子１５には、弾動しない接触部１５１を設置し、第一端子１４の接触部１４１前方に位置する。よって、嵌合接続部７５は正方向であろうと反対方向であろうと共に、Ａ型スタンダードＵＳＢ３．０エレクトリックコネクトソケット１１の連接槽１６に挿入可能で、しかも２個の接触インターフェース基板７６の内の一つのＵＳＢ３．０接触インターフェース（接触部４４、５４）とＡ型スタンダードＵＳＢ３．０エレクトリックコネクトソケット１１の舌板１２１下面のＵＳＢ３．０接触インターフェース（接触部１４１、１５１）とは、電気的に接続する。
【００６０】
本実施形態による二列の第一端子４０のピンの接線部４１１は、接点回路シリアルナンバーが同じものは、同一電線８５につながる，二列の第二端子５０のピンの接線部５１１は、接点回路シリアルナンバーが同じものは、同一電線８５につながる，こうしてコネクトケーブル８６内には、一組９本の電線８５を有する。
【００６１】
図２４に示す通り、本実施形態による二列の第一端子４０のピンの接線部４１１及び二列の第二端子５０のピンの接線部５１１には、それぞれ電線８５を連接する。こうして、コネクトケーブル８６内には、二組各９本計１８本の電線８５を有する。
【００６２】
図２５は、本実施形態による双方向両面ＵＳＢ３．０エレクトリックコネクトプラグの別種の実施例を示す。両者の差異は以下の通りである。本実施例では、絶縁台体３０の上、下台体３０１、３０２に、水平に延伸する金属隔絶板８８をそれぞれ設置する。
これにより一列の第一、二端子４０、５０の相互の電気的干渉を減らし、より高速の伝送を達成できる。
【００６３】
図２６及び図２７に示す通り、本実施形態による双方向片面ＵＳＢ３．０エレクトリックコネクトソケット９０２はおおよそ、第一実施形態によるＵＳＢ２．０双方向両面エレクトリックコネクトソケット９０１と相同である。両者の差異は以下の通りである。本実施形態では、一列の５個の第二端子９５を増設する。
第二端子９５には、弾動しない接触部９５４を設置し、第一端子９４の接触部９４４前方に位置する。接触部９５４は、舌板９２１下面にやや陥没し、一列の接触部９４４と一列の接触部９５４とは、ＵＳＢ３．０接触インターフェースを形成する。
【００６４】
双方向両面ＵＳＢ３．０エレクトリックコネクトプラグ１０３の嵌合接続部７５の２個の接触インターフェース基板７６の高さは共に、連接槽９６の舌板９２１の上下２個の連接面の空間に、嵌め入れ可能である。
よって、嵌合接続部７５は、正方向であろうと反対方向であろうと、双方向片面ＵＳＢ４．０エレクトリックコネクトソケット９０２の連接槽９６に挿入可能である。
しかも、２個の接触インターフェース基板７６の内の一つのＵＳＢ３．０接触インターフェース（接触部４４、５４）と双方向片面ＵＳＢ．０エレクトリックコネクトソケット９０２の舌板９２１下面のＵＳＢ３．０接触インターフェース（接触部９４４、９５４）とは、電気的に接続する。
双方向両面ＵＳＢ３．０エレクトリックコネクトプラグ１０３の嵌合接続部７５と双方向片面ＵＳＢ３．０エレクトリックコネクトソケット９０２の連接槽９６の両者は、最適な嵌合を達成できる。こうして、図２３に示す通り、接触インターフェース基板７６の、大空間１６２における余白空間が大きすぎるという状況は発生しない。
【００６５】
該双方向片面ＵＳＢ３．０エレクトリックコネクトソケット９０２のＵＳＢ３．０接触インターフェースは、図19に示すように双方向両面ＵＳＢ３．０エレクトリックコネクトプラグ１０３のＵＳＢ３．０接触インターフェースに電気的に接続されている。したがって、エレクトリックコネクトソケット９０２の前方列に弾動可能な接触部９５４もまた、2対のＵＳＢ３．０信号接触部ＲＸ＋、ＲＸ−およびＴＸ＋、ＴＸ−を含み、後方列に跳ね返る接触部９４４は１対のＵＳＢ３．０信号接触部を含み、それぞれＤ＋、及びＤ−である。
【００６６】
舌板９２１の２つの接続面の少なくとも1つの接続面の接触インターフェースには、舌板に対して移動しない平坦な5つの接触部９５４が設けられている。2つの接続面のただ1つの接続面の２対だけが跳ねない。かつ舌板のＵＳＢ３．０信号接触部９５４には、双方向エレクトリックコネクトプラグの２対のＵＳＢ３．０信号接触部５４にのみ電気的に接続される。該2対のUSB 3.0信号接触部が図１９に示されている通り、それぞれＲＸ＋、ＲＸ−およびＴＸ＋、ＴＸ−である。
【００６７】
舌板９２１の2つの接続面の少なくとも1つの接続面の接触インターフェースには、少なくとも9つの接点回路シリアル番号が順番に配置された接触部が設けられている。かつ2つの接続面の１つの接続面のみの3対のＵＳＢ３．０信号接触部は、双方向エレクトリックコネクトプラグの一面の３対のＵＳＢ３．０信号接触部と電気的に接続される。該３対のＵＳＢ３．０信号接触部は図１９に示す通り、それぞれＤ＋、Ｄ−、ＲＸ＋、ＲＸ−及びＴＸ＋、ＴＸ−である。
【００６８】
図２８及び図２９に示す通り、本実施形態による双方向両面ＵＳＢ３．０エレクトリックコネクトソケット９０３と双方向片面ＵＳＢ３．０エレクトリックコネクトプラグ１０７とは対応接続する。双方向両面ＵＳＢ３．０エレクトリックコネクトソケット９０３は、おおよそ上述の双方向片面ＵＳＢ３．０エレクトリックコネクトソケット９０２と相同である。両者の差異は以下の通りである。本実施形態では、一列の第一端子９４及び一列の第二端子９５を増設する。
舌板９２１上面には、ＵＳＢ３．０接触インターフェースを形成する。舌板９２１の２個の連接面の内側は外側より大きく、凸字型を呈し、舌板９２１の両面に、高低段差の接続面を形成する。しかも２個のＵＳＢ３．０接触インターフェースの一列の第二端子９５の接触部９５４は、舌板９２１の２個の連接面の外側にそれぞれ密着し、しかも上下弾動不可である。舌板９２１上、下面のＵＳＢ３．０接触インターフェースは、相同の接触インターフェースで、しかも接点回路シリアルナンバーは相互に反対方向に配列する。
双方向片面ＵＳＢ３．０エレクトリックコネクトプラグ１０７則と上述の双方向両面ＵＳＢ３．０エレクトリックコネクトプラグ１０３はおおよそ相同であるが、両者の差異は以下の通りである。本構造では、嵌合接続部７５の２個の接触インターフェース基板７６の内の一つにのみ、ＵＳＢ３．０接触インターフェースを設置する。
よって、嵌合接続部７５は、正方向であろうと反対方向であろうと、ＵＳＢ３．０双方向両面エレクトリックコネクトソケット９０３の連接槽９６に挿入可能である。しかも、一接触インターフェース基板７６のＵＳＢ３．０接触インターフェース（接触部４４、５４）は、必然的に、双方向両面ＵＳＢ３．０エレクトリックコネクトソケット９０３の舌板９２１上、下面の内のいずれか一つのＵＳＢ３．０接触インターフェース（接触部９４４、９５４）と電気的に接続する。
【００６９】
該双方向片面ＵＳＢ３．０エレクトリックコネクトプラグ１０７の嵌合接続部７５の２つの接触インタフェース基板７６のうちの1つだけがＵＳＢ３．０接触インタフェースを備えている。図１９に示すように、３対の信号接触部が設けられ、それぞれＤ＋、Ｄ−、ＲＸ＋、ＲＸ−、ＴＸ＋、ＴＸ−である。後方列の弾動可能な接触部は、２対の信号コンタクトのみを備え、それぞれＲＸ＋、ＲＸ−及びＴＸ＋、ＴＸ−である。前、後方列の接続部４４、５４には、高低接地接触部が設けられており、しかも２列の均一でない水平高さのピン４１、５１が設けられている。
【００７０】
該双方向両面ＵＳＢ３．０エレクトリックコネクトソケット９０３の該舌板９２１における２つの接続面のＵＳＢ３．０接触インターフェースが対応する該双方向片面ＵＳＢ３．０エレクトリックコネクトプラグ１０７のＵＳＢ３．０接触インターフェースと電気的に接続される。したがって、  舌板９２１の2つの接続面のＵＳＢ３．０接触インターフェースにも3対の信号接触部が設けられ、それぞれＤ＋、Ｄ−、ＲＸ＋、ＲＸ−、ＴＸ＋、ＴＸ−、である。前、後方列の接触部９４４、９５４には、接地接触部が設けられているので、舌板９２１の2つの接続面が、高低接触部と、高低接地接触部とを形成する。
【００７１】
図３０は、双方向両面ＵＳＢ３．０エレクトリックコネクトソケット９０３と双方向両面ＵＳＢ３．０エレクトリックコネクトプラグ１０３とは対応接続する。
こうして、プラグとソケットの両接触インターフェースは共に、双方向に対応接続可能で、使用上の利便性を達成し、しかも二倍の伝送効果を達成できる。
【００７２】
本実施形態によるソケットは設計上、連接槽９６の舌板９２１の上下２個の連接面の空間は、相同の高さでも不等の高さでもよく、高さは０．５５ｍｍ〜１．５ｍｍの間で、連接槽９６の高さは設計上、３ｍｍ〜４．９ｍｍの間である。
こうして、対応し挿入接続される双方向ＵＳＢ２．０エレクトリックコネクトプラグの接触インターフェース基板の高さは０．５ｍｍ〜１．４５ｍｍの間となり、嵌合接続部の高さは３ｍｍ〜４．８５ｍｍの間である。
【００７３】
図３１及び図３２は、本実施形態による双方向両面ＵＳＢ３．０エレクトリックコネクトプラグの別種の実施例を示す。その絶縁台体３０には、上下が重ね合わされている上台体３０１と下台体３０２とが設けられている。両者の差異は以下の通りである。２個の接触インターフェース基板７６の内面には、上下に弾動可能な二列の接触部を突出状に設置する。
即ち、二列の第一端子４０は、延伸部４３板面から飛び出し、嵌合接続空間７７へと反対方向延伸片４５を突出する。反対方向延伸片４５は上下弾動可能で、しかも接触部４４を設置する。
二列の第二端子５０は、延伸部５３板面から飛び出し、嵌合接続空間７７へと反対方向延伸片５５を突出する。反対方向延伸片５５は上下弾動可能で、しかも末端断面には、接触部５４を設置する。接触部４４、５４は共に弾動可能で、しかもＡ型スタンダードエレクトリックコネクトプラグの接触部に比べ、接触インターフェース基板から約０．４ｍｍ〜０．７ｍｍ突出する。
よって、嵌合接続空間７７の高さは、約２．３５ｍｍ〜２．７ｍｍ大きく設計可能で、従来のＡ型スタンダードＵＳＢ２．０エレクトリックコネクトプラグ２０の嵌合接続槽２４の高さ１．９５ｍｍより大きい。
本実施形態は０．６ｍｍ突出する設計で、嵌合接続空間７７の高さは、２．６ｍｍで、嵌合接続部７５の高さは４．０ｍｍである。
図３２に示す通り、嵌合接続部７５が、Ａ型スタンダードＵＳＢ３．０エレクトリックコネクトソケット１１の連接槽１６に嵌め入れられると、接触部４４、５４は、弾動により接触部１４１、１５１に電気的に接続する。
これにより、接触インターフェース基板７６の連接槽１６の大空間の余剰空間は減少し、わずか約１．１２ｍｍとなり、こうしてプラグが不当な力を受け下方へと回転する空間は縮小し、ソケットの舌板１２１の折れや切断を回避できる。
【００７４】
２つの接触インターフェース基板７６には、後方列接触部５４に対応する仕切構造が設けられており、上下に跳ね返ったときに後方列接触部５４が金属ハウジング60に接触しないようになっている。該仕切構造が弾動空間７６２である。
前方列接触部４４は、固定部４２に接続され、接触インターフェース基板７６に延伸して位置決めされている。後方列接触部５４の端子５０の固定部５２は、絶縁台体３０に延伸して位置決められ、埋設、固定され、射出成形されている。
【００７５】
２つの接触インターフェースの複数の端子４０、５０のピン４１、５１はそれぞれ、水平方向の列のピンを呈し、垂直方向に配列された2つの列の水平方向のピンとを有する。
【００７６】
図３４〜図４４は、本発明第三実施形態は、双方向ＭＩＣＲＯ  ＵＳＢエレクトリックコネクトプラグ及び双方向ＭＩＣＲＯ  ＵＳＢエレクトリックコネクトソケット。
【００７７】
図３４、図３５、図３６及び図３７に示す本実施形態による双方向両面ＭＩＣＲＯ  ＵＳＢエレクトリックコネクトプラグ１０２は、スタンダードＭＩＣＲＯ  ＵＳＢエレクトリックコネクトソケット１０１に双方向に対応接続可能である。
【００７８】
図３７に示す通り、スタンダードＭＩＣＲＯ  ＵＳＢエレクトリックコネクトソケット１０１には、絶縁台体１２及び金属ハウジング１３を設置する。
絶縁台体１２前端上方には、水平前方へと突出した舌板１２１を設置する。
金属ハウジング１３は、絶縁台体１２を包み込み、しかも連接槽１６を形成し、舌板１２１を包み込む。
連接槽１６は、舌板１２１の上、下面において、小空間１６１及び大空間１６２をそれぞれ形成する。絶縁台体１２には、一列の５個の第一端子１４を設置する。第一端子１４には、上下に弾動不可な接触部１４１を設置し、舌板１２１下面にやや陥没する。一列の第一端子１４の接触部１４１には、ＭＩＣＲＯ  ＵＳＢ接触インターフェースを形成する。
【００７９】
ＵＳＢ協会が定めるスタンダードＭＩＣＲＯ  ＵＳＢ（２．０或いは３．０）エレクトリックコネクトソケットの舌板の高さは０．６ｍｍで、小空間の高さは０．２８ｍｍ及び大空間の高さは０．９７ｍｍで、連接槽の合計の高さは、１．８５ｍｍで、接触部１４１が舌板１２１下面に陥没する高さは０．１２ｍｍで、ＭＩＣＲＯ  ＵＳＢ２．０は、舌板上に弾動しない５個の接触部を設置する。ＭＩＣＲＯ  ＵＳＢ３．０は、２個の舌板上に、５個の弾動しない接触部をそれぞれ設置する。
【００８０】
ＵＳＢ協会が定めるスタンダードＭＩＣＲＯ  ＵＳＢ（２．０或いは３．０）エレクトリックコネクトプラグの連接部の高さは、１．８ｍｍで、嵌合接続槽の高さは、０．６５ｍｍで、金属ハウジングの厚みは、０．２５ｍｍで、接触インターフェース基板の高さは、０．９ｍｍである。
【００８１】
図３４、図３５、図３６に示す通り、本実施形態による双方向両面ＭＩＣＲＯ  ＵＳＢエレクトリックコネクトプラグ１０２は、絶縁台体３０、二列の第一端子４０、金属ハウジング６０、定位構造及び嵌合接続部７５を有する。
【００８２】
絶縁台体３０は、プラスチック射出成形され、上台体３０１と下台体３０２とを組合せて構成される。その前段には、嵌合接続空間７７を設置する。絶縁台体３０は、嵌合接続空間７７の上、下、左、右面に形成され、嵌合接続空間７７の挿入口は前を向く。
該金属ハウジング６０は、絶縁台体３０を包み込む。金属ハウジング６０の前視形状は、方形を呈し、上下対称で、しかも左右対称である。
【００８３】
嵌合接続部７５は、絶縁台体３０前端に設置する。嵌合接続部７５は、相互に対面する２個の接触インターフェース基板７６及び嵌合接続空間７７に設置する。
２個の接触インターフェース基板７６を隔てるのは、嵌合接続空間７７である。２個の接触インターフェース基板７６の内層は、絶縁台体３０により一体成形され、しかも外層は、金属ハウジング６０である。
嵌合接続空間７７は同様に、絶縁台体３０の嵌合接続空間７７で、２個の接触インターフェース基板７６には、ＭＩＣＲＯ  ＵＳＢ接触インターフェースをそれぞれ設置する。
２個のＭＩＣＲＯ  ＵＳＢ接触インターフェースは、二列の第一端子４０により形成され、２個のＭＩＣＲＯ  ＵＳＢ接触インターフェースは、絶縁台体３０に電気的に接続する。
２個の接触インターフェースは、相同の接触インターフェースで、しかも接点回路シリアルナンバーは相互に反対方向に配列する。
嵌合接続部７５の外形は、方形を呈し、上下対称で、しかも左右対称である。嵌合接続部７５は、スタンダードＭＩＣＲＯ  ＵＳＢエレクトリックコネクトソケット１０１の連接槽に正方向と反対方向の双方向に挿入が可能である。
２個の接触インターフェース基板７６は共に、小空間に挿入される。
【００８４】
定位構造は、絶縁台体３０前段の二側壁３４に一体成形される。二側壁３４は、２個の接触インターフェース基板７６の絶縁層両側の間に一体に連接され、これにより２個の接触インターフェース基板７６の絶縁層を定位する。
２個の接触インターフェース基板７６内層の絶縁層は、嵌合接続空間７７の上下面で、二側壁３４は、嵌合接続空間７７の左右面である。
【００８５】
二列の第一端子４０は共に、一列が５個である。二列の第一端子４０は、上台体３０１と下台体３０２にそれぞれ埋め込み射出成形され固定される。
第一端子４０は、一端からもう一端へと順番に、ピン４１、固定部４２及び延伸部４３を設置する。
固定部４２と第一端子槽３１は固定し、延伸部４３は、固定部４２前端に連接し、接触インターフェース基板７６へと延伸する。
延伸部４３前段の板面はトレンチングし、しかも嵌合接続空間７７へと反対方向延伸片４５を突出する。反対方向延伸片４５は上下弾動可能で、しかも未端断面接触部４４を設置する。接触部４４は、接触インターフェース基板７６内面に突出する。
ピン４１は、固定部４２反対端に連接し、絶縁台体３０後端に伸び出し、しかも末段には接線部４１１を形成する。
二列の第一端子４０の接触部４４には、２個の接触インターフェース基板７６のＭＩＣＲＯ  ＵＳＢ接触インターフェースをそれぞれ形成する。
２個のＭＩＣＲＯ  ＵＳＢ接触インターフェースは、相同の接触インターフェースで、しかも接点回路シリアルナンバーは相互に反対方向に配列する。図３５に示す通り、上方のＭＩＣＲＯ  ＵＳＢ接触インターフェースの接点回路シリアルナンバーは、左から右へ１、２、３、４、５と配列し、下方のＭＩＣＲＯ  ＵＳＢ接触インターフェースの接点回路シリアルナンバーは、左から右へと配列は、５、４、３、２、１と配列する。
【００８６】
本実施形態の雄型プラグを差し込んだ標準型ＭＩＣＲＯ  ＵＳＢエレクトリックコネクトソケット１０１は、舌板が1つしかないので、ＭＩＣＲＯ  ＵＳＢ2.0である。したがって、2つの接触インターフェース基板７６のＭＩＣＲＯ  ＵＳＢ接触面は、前述のＵＳＢ２．０接触インターフェースと同様に一対のUSB2.0信号接触部を有し、それぞれＤ＋、Ｄ−である。
【００８７】
図３６に示す通り、一列の第一端子４０の接触部４４の、接点回路シリアルナンバー１、５は比較的前端に近く、接点回路シリアルナンバー２、３、４は比較的後端に近い。
図３５に示す通り、二列の第一端子４０の接触部４４は、左右互い違いで、こうして相互に接触しない。
【００８８】
本実施形態は、コネクトケーブルのジョイントとし、シリコン流し込み方式によりハウジング８０を成形し、或いは上、下殼体を射出成形し、ハウジング８０を組み付ける。
二列の第一端子４０のピンの接線部４１１は、接点回路シリアルナンバーが同じものは、同一電線８５につながる。こうして、コネクトケーブル８６内には、一組９本の電線８５を有する。
【００８９】
以上の構造により、図３７に示す通り、嵌合接続部７５の２個の接触インターフェース基板７６の高さは共に、スタンダードＭＩＣＲＯ  ＵＳＢエレクトリックコネクトソケット１０１の連接槽１６の小空間１６１に嵌め入れられる。
よって、嵌合接続部７５は、正方向であろうと反対方向であろうと、スタンダードＭＩＣＲＯ  ＵＳＢエレクトリックコネクトソケット１０の連接槽１６に挿入可能である。しかも、２個の接触インターフェース基板７６の内の一つのＭＩＣＲＯ  ＵＳＢ接触インターフェース（接触部４４）とスタンダードＭＩＣＲＯ  ＵＳＢエレクトリックコネクトソケット１０１の舌板１２１下面のＭＩＣＲＯ  ＵＳＢ接触インターフェース（接触部１４１）とは、電気的に接続する。
【００９０】
本実施形態による嵌合接続部７５の２個の接触インターフェース基板７６の高さは相同でどれも約０．３ｍｍ〜０．３６ｍｍで、嵌合接続空間７７は約０．６５ｍｍである。
よって、嵌合接続部７５の高さは約１．２ｍｍ〜１．３５ｍｍで、明らかにスタンダードＭＩＣＲＯ  ＵＳＢエレクトリックコネクトプラグの連接部の高さ（１．８ｍｍ）より小さく、しかもスタンダードＭＩＣＲＯ  ＵＳＢエレクトリックコネクトソケット１０１の連接槽１６の大空間１６２の高さ（０．９７ｍｍ）より大きい。
よって、使用において、嵌合接続部７５が大空間１６２に誤って挿入されることはない。しかも、設計上、接触インターフェース基板７６の高さ０．２３ｍｍ〜０．４ｍｍの間とでき、嵌合接続部７５の高さは１．１ｍｍ〜１．４５ｍｍの間とできる。
【００９１】
設計上、製造を容易にするため、接触インターフェース基板７６の高さは、小空間１６１の高さ（０．２８ｍｍ）よりやや大きくするが、これでも使用可能な状態で、舌板９２１のプラスチック弾性により、緊密に挿入することができる。
【００９２】
図３８及び図３９に示す通り、本実施形態による双方向片面ＭＩＣＲＯ  ＵＳＢエレクトリックコネクトソケット９０４は、絶縁台体９２、金属ハウジング９３及び一列の第一端子９４を有する。
【００９３】
絶縁台体９２は、プラスチック射出成形し、その前端中央には、水平延伸を呈する舌板９２１を突出状に設置する。舌板９２１の下面には、ＭＩＣＲＯ  ＵＳＢ接触インターフェースを設置する。ＭＩＣＲＯ  ＵＳＢ接触インターフェースは、一列の第一端子９４により形成される。接触インターフェースは、絶縁台体３０後端に電気的に接続する。
【００９４】
金属ハウジング９３は、絶縁台体９２及び舌板９２１を包み込み、絶縁台体９２前端に、連接槽９６を形成する。舌板９２１は、連接槽９６の中間の高さに位置する。舌板９２１の上下面は、対称空間を形成する。連接槽９６の外形は、方形を呈し、上下対称で、しかも左右対称である。
【００９５】
一列の第一端子９４は、絶縁台体に組み付ける。各端子には、ピン９４１、固定部９４２及び延伸部９４３が設置される。
固定部９４２と絶縁台体９２とは固定される。
延伸部９４３は、固定部９４２前端に連接され、舌板９２１まで延伸し、しかも接触部９４４を設置する。
接触部９４４は、舌板９２１下面にやや陥没し、しかも上下弾動不可で該ピン９４１は、固定部９４２後端に連接され、絶縁台体９２に伸び出す。
一列の第一端子９４の接触部９４４には、ＭＩＣＲＯ  ＵＳＢ接触インターフェースを形成する。
【００９６】
本実施形態の特徴は、以下の通りである。連接槽９６の、舌板９２１の上下２個の連接面の空間の高さは約０．３ｍｍ〜０．５ｍｍで共に、前述のスタンダードＭＩＣＲＯ  ＵＳＢエレクトリックコネクトソケット１０１の大空間１６２より小さい。
舌板９２１の高さは相同で、連接槽９６の高さは約１．２ｍｍ〜１．６ｍｍで、エレクトリックコネクトプラグの嵌合接続部は、連接槽９６に双方向挿入が可能である。
【００９７】
本実施形態は設計上、連接槽９６の舌板９２１の上下２個の連接面の空間は、相同の高さでも不等の高さでもよく、高さは０．２３ｍｍ〜０．８ｍｍの間とでき、連接槽９６の高さは設計上、１．０６ｍｍ〜２．２ｍｍの間とできる。
こうして対応し挿入接続される双方向ＭＩＣＲＯ  ＵＳＢエレクトリックコネクトプラグの接触インターフェース基板の高さは、０．２３ｍｍ〜０．７ｍｍの間で、嵌合接続部の高さは１．１ｍｍ〜２．０５ｍｍの間となる。
【００９８】
以上の構造により、図４０に示す通り、双方向両面ＭＩＣＲＯ  ＵＳＢエレクトリックコネクトプラグ１０２の嵌合接続部７５の２個の接触インターフェース基板７６の高さは共に、連接槽９６の舌板９２１の上下２個の連接面の空間に、嵌め入れ可能である。
よって、嵌合接続部７５は、正方向であろうと反対方向であろうと、双方向片面ＭＩＣＲＯ  ＵＳＢエレクトリックコネクトソケット９０４の連接槽９６に挿入可能である。
しかも、２個の接触インターフェース基板７６の内の一つのＭＩＣＲＯ  ＵＳＢ接触インターフェース（接触部４４）と双方向片面ＭＩＣＲＯ  ＵＳＢエレクトリックコネクトソケット９０４の舌板９２１下面のＭＩＣＲＯ  ＵＳＢ接触インターフェース（接触部９４４）とは、電気的に接続する。
双方向両面ＭＩＣＲＯ  ＵＳＢエレクトリックコネクトプラグ１０８の嵌合接続部７５と双方向片面ＭＩＣＲＯ  ＵＳＢエレクトリックコネクトソケット９０４の連接槽９６の両者は、最適な嵌合を達成できる。こうして、図３７に示す通り、接触インターフェース基板７６の、大空間１６２における余白空間が大きすぎるという状況は発生しない。
【００９９】
図４１及び図４２に示す通り、本実施形態によるＭＩＣＲＯ  ＵＳＢ双方向両面エレクトリックコネクトソケット９０５はおおよそ、双方向片面ＭＩＣＲＯ  ＵＳＢエレクトリックコネクトソケット９０４と相同であるが、両者の差異は、一列の第一端子９４を増設する点である。
舌板９２１上面には、ＭＩＣＲＯ  ＵＳＢ接触インターフェースを形成する。舌板９２１上、下面のＭＩＣＲＯ  ＵＳＢ接触インターフェースは、相同の接触インターフェースで、しかも接点回路シリアルナンバーは相互に反対方向に配列する。２列の第1端子９４のピン９４１は前後、２列であり、2列のピン９４１の端部は水平形態を呈する。
【０１００】
図４３に示す通り、双方向片面ＭＩＣＲＯ  ＵＳＢエレクトリックコネクトプラグ１０９は、ＭＩＣＲＯ  ＵＳＢ双方向両面エレクトリックコネクトソケット９０５に挿入接続される。
双方向片面ＭＩＣＲＯ  ＵＳＢエレクトリックコネクトプラグ１０９は、おおよそ双方向両面ＭＩＣＲＯ  ＵＳＢエレクトリックコネクトプラグ１０２と相同であるが、両者の差異は以下の通りである。本実施形態では、嵌合接続部７５の２個の接触インターフェース基板７６の内の一つにのみＭＩＣＲＯ  ＵＳＢ接触インターフェースを設置する。
よって、嵌合接続部７５は、正方向であろうと反対方向であろうと、双方向両面ＭＩＣＲＯ  ＵＳＢエレクトリックコネクトソケット９０５の連接槽９６に挿入可能で、しかも接触インターフェース基板７６のＭＩＣＲＯ  ＵＳＢ接触インターフェース（接触部４４）は必然的に、双方向両面ＭＩＣＲＯ  ＵＳＢエレクトリックコネクトソケット９０５の舌板９２１上、下面の内のいずれか一つのＭＩＣＲＯ  ＵＳＢ接触インターフェース（接触部９４４）と電気的に接続する。
双方向片面ＭＩＣＲＯ  ＵＳＢエレクトリックコネクトプラグ１０９の２つの接触インターフェース基板７６のうち、１つのみの接触インターフェース基板に5つの接点回路シリアル番号が順番に排列する接触部４４において、一対のＵＳＢ２．０信号接触部が設けられ、それは、Ｄ＋、Ｄ−である。
【０１０１】
図４４に示す通り、双方向両面ＭＩＣＲＯ  ＵＳＢエレクトリックコネクトプラグ１０２は、ＭＩＣＲＯ  ＵＳＢ双方向両面エレクトリックコネクトソケット９０５に挿入接続される。
二列の第一端子４０のピン４１の接線部４１１には、それぞれ電線８５を連接する。こうして、コネクトケーブル８６内には、二組各５本計１０本の電線８５を有する。こうして、プラグとソケットの両接触インターフェースは共に、双方向に対応接続可能で、使用上の利便性を達成し、しかも二倍の伝送効果を達成できる。
【０１０２】
ＭＩＣＲＯ  ＵＳＢは、現在は、ＵＳＢ協会が定める最も小さい高さの規格で、ＵＳＢ協会が定めるスタンダードＭＩＣＲＯ  ＵＳＢエレクトリックコネクトプラグの連接部の嵌合接続槽の高さは０．６５ｍｍで、接触インターフェース基板の高さは０．９ｍｍである。
スタンダードＭＩＣＲＯ  ＵＳＢエレクトリックコネクトソケットの大空間は、０．９７ｍｍで、小空間は、０．９７ｍｍで、舌板厚みは、０．６ｍｍである。
【０１０３】
本発明の技術特徴により、２個の接触インターフェース基板の高さを０．９ｍｍより小さく設計し、嵌合接続空間の０．６５ｍｍを加える。
よって、本発明のプラグの嵌合接続部の高さの合計は、０．９ｍｍ  ｘ  ２  ＋  ０．６５ｍｍ  ＝  ２．４５ｍｍより小さい。
本発明のソケットの連接槽の高さの合計は、０．９７ｍｍ  ｘ  ２  ＋０．６ｍｍ  ＝  ２．５４ｍｍより小さい。
【０１０４】
図４５に示す通り、本発明第四実施形態による双方向両面ＵＳＢ３．０エレクトリックコネクトプラグはおおよそ、第十実施形態と相同であるが、両者の差異は以下の通りである。
本実施形態では、絶縁台体３０は、嵌合接続空間７７の上、下面だけに形成し、左、右面には一体形成しない。金属ハウジング６０の左、右面には、内側へと突出する少なくとも１個の凸部６６をそれぞれ設置し、嵌合接続空間７７の左、右面に形成する。しかも、少なくとも２個の凸部６６は、定位構造とし、２個の接触インターフェース基板７６の絶縁層を定位し、相互に接近しない。
【０１０５】
図４６に示す通り、本発明第五実施形態はおおよそ、第四実施形態と相同であるが、両者の差異は以下の通りである。
本実施形態では、定位構造は、金属ハウジング６０前段の上下面に多数の開孔６１３をそれぞれ設置する。絶縁台体３０の前段はホットメルトし、多数の開孔６１３に結合する。こうして、２個の接触インターフェース基板７６の内層の絶縁層と外層の金属ハウジングとを結合して固定させる。
【０１０６】
図４７に示す通り、本発明第六実施形態はおおよそ、第五実施形態と相同であるが、両者の差異は以下の通りである。
本実施形態では、定位構造は、２個の接触インターフェース基板７６の内層の絶縁層と外層の金属ハウジングとの間に、粘着テープ３２５を設置し、結合して固定する。
【０１０７】
ＵＳＢ協会が定めるスタンダードＭＩＮＩ  ＵＳＢエレクトリックコネクトソケットの舌板の高さは、１．６ｍｍで、小空間の高さは、０．４５ｍｍで、大空間１６２の高さは、１．０５ｍｍで、連接槽１６の高さは、３．１ｍｍである。
ＵＳＢ協会が定めるスタンダードＭＩＮＩ  ＵＳＢエレクトリックコネクトプラグ２０１の接触インターフェース基板２５の高さは、０．９ｍｍで、嵌合接続槽２４の高さは、１．８ｍｍで、金属ハウジング２１の厚みは、０．３ｍｍで、全体的な高さは、３ｍｍである。
【０１０８】
本発明は、双方向両面ＭＩＮＩ  ＵＳＢエレクトリックコネクトプラグにも応用可能で、スタンダードＭＩＮＩ  ＵＳＢエレクトリックコネクトソケットに双方向対応接続が可能である。
２個の接触インターフェース基板には、ＭＩＮＩ  ＵＳＢ接触インターフェースをそれぞれ設置する。
ＭＩＮＩ  ＵＳＢ接触インターフェースは、一列の５個の端子の弾動しない接触部を有する。
嵌合接続部の２個の接触インターフェース基板の高さは相同で共に約０．４ｍｍで、嵌合接続空間は約１．８ｍｍである。
よって、嵌合接続部の高さは約２．６ｍｍで、明らかにスタンダードＭＩＮＩ  ＵＳＢエレクトリックコネクトプラグの連接部の高さ（３ｍｍ）より小さい。
設計上、接触インターフェース基板７６の高さは、０．３５ｍｍ〜０．５ｍｍの間とでき、嵌合接続部７５の高さは２．５ｍｍ〜２．８ｍｍの間とできる。
【０１０９】
より容易な製造のため、双方向両面ＭＩＮＩ  ＵＳＢエレクトリックコネクトプラグの接触インターフェース基板の高さは、０．３５ｍｍ〜０．９ｍｍの間とすることができる。
嵌合接続部の高さは２．５ｍｍ〜３．６ｍｍの間で、対応するＭＩＮＩ  ＵＳＢエレクトリックコネクトソケットの連接槽の舌板の両相対面は、対称空間を形成する。
対称空間の高さは、０．４ｍｍ〜０．９５ｍｍの間とでき、連接槽の高さは、２．４５ｍｍ〜３．６５ｍｍである。
【０１１０】
現在ＵＳＢ協会が定める舌板偏心のスタンダードエレクトリックコネクトソケットは、上述のＡ型、ＭＩＣＲＯ及びＭＩＮＩの三種を含む。
本発明の設計はどれも、この三種のスタンダードエレクトリックコネクトソケットに双方向挿入接続が可能である。
【０１１１】
図４８及び図４８Ａに示す通り、本発明第七実施形態は、アダプタケーブルである。
アダプタケーブル一端には、双方向両面ＵＳＢ２．０エレクトリックコネクトプラグ１００を連接し、反対端には、ＡＰＰＬＥ（登録商標）双方向両面エレクトリックコネクトプラグ１０６を連接する。
双方向両面ＵＳＢ２．０エレクトリックコネクトプラグ１００  は、第一実施形態に相同である。
ＡＰＰＬＥ（登録商標）双方向両面エレクトリックコネクトプラグ１０６は、板片状ジョイントで、その板片両面には、一列８個の弾動しない接点の接触インターフェースをそれぞれ設置する。
【０１１２】
図４９及び図４９Ａは、本発明第八実施形態は、アダプタケーブルである。該アダプタケーブル一端連接双方向両面ＵＳＢ３．０エレクトリックコネクトプラグ１０３，反対端には、ＡＰＰＬＥ（登録商標）双方向両面エレクトリックコネクトプラグ１０６を連接する。該双方向両面ＵＳＢ２．０エレクトリックコネクトプラグ１０３  相同於第二実施形態。  
【０１１３】
図５０及び図５０Ａに示す通り、本発明第九実施形態は、アダプタケーブルである。
アダプタケーブル一端には、双方向両面ＭＩＣＲＯ  ＵＳＢエレクトリックコネクトプラグ１０２を連接し、反対端には、ＡＰＰＬＥ（登録商標）双方向両面エレクトリックコネクトプラグ１０６を連接する。
双方向両面ＵＳＢ２．０エレクトリックコネクトプラグ１０２は、第三実施形態に相同である。
【０１１４】
図５１及び図５１Ａに示す通り、本発明第十実施形態は、アダプタケーブルである。
アダプタケーブル一端には、双方向両面ＵＳＢ２．０エレクトリックコネクトプラグ１００を連接し、反対端には、双方向両面ＭＩＣＲＯ  ＵＳＢ２．０エレクトリックコネクトプラグ１０２を連接する。
【０１１５】
図５２〜図５７は、本発明第十一実施形態による双方向ＭＩＣＲＯ  ＵＳＢエレクトリックコネクトプラグ及び双方向ＭＩＣＲＯ  ＵＳＢエレクトリックコネクトソケットを示す。
【０１１６】
図５２〜図５４に示す通り、本実施形態による双方向両面ＭＩＣＲＯ  ＵＳＢエレクトリックコネクトプラグ１２０と対応接続するスタンダードＭＩＣＲＯ  ＵＳＢエレクトリックコネクトソケット１１１はおおよそ、第三実施形態と相同であるが、両者の差異は以下の通りである。
本実施形態では、双方向両面ＭＩＣＲＯ  ＵＳＢエレクトリックコネクトプラグ１２０の接触部４４は、弾動せず、スタンダードＭＩＣＲＯ  ＵＳＢエレクトリックコネクトソケット１１１の接触部１４１は、上下弾動可能である。
【０１１７】
図５５〜図５７は、双方向両面ＭＩＣＲＯ  ＵＳＢエレクトリックコネクトプラグ１２０と双方向片面ＭＩＣＲＯ  ＵＳＢエレクトリックコネクトソケット１１２を示す。
双方向片面ＭＩＣＲＯ  ＵＳＢエレクトリックコネクトソケット１１２の舌板１２１は、連接槽１６の中間の高さに位置し、舌板１２１の上下面は、対称空間を呈する。
【０１１８】
図５８〜図６３は、本発明の第十二実施形態による双方向で高さが小さいエレクトリックコネクトプラグ及び双方向で高さが小さいエレクトリックコネクトソケットを示す。
【０１１９】
図５８〜図６０に示す通り、双方向両面で高さが小さいエレクトリックコネクトプラグ１２３と双方向片面で高さが小さいエレクトリックコネクトソケット１１３はおおよそ、第十一実施形態と相同であるが、両者の差異は以下の通りである。本実施形態は、中間サイズ設計である。
即ち、双方向両面で高さが小さいエレクトリックコネクトプラグ１２３の接触インターフェース基板７６の高さは０．３ｍｍ〜０．９ｍｍの間で、嵌合接続空間７７は約０．７ｍｍ〜０．８ｍｍで、全体的な高さは１．３ｍｍ〜２．５ｍｍの間で、双方向片面で高さが小さいエレクトリックコネクトソケット１１２の舌板１２１の高さは約０．６５ｍｍ〜０．７５ｍｍで、舌板１２１上下面の両対称空間の高さは０．３５ｍｍ〜０．９５ｍｍの間で、連接槽１６の高さは１．３５ｍｍ〜２．６５ｍｍで、こうして容易な製造を達成し、しかもコンパクト設計の優位を失うことはない。
【０１２０】
本実施形態による双方向両面で高さが小さいエレクトリックコネクトプラグ１２３の接触インターフェース基板７６の高さは約０．５５ｍｍで、嵌合接続空間７７は約０．７ｍｍで、全体的な高さは約１．８ｍｍで、双方向片面で高さが小さいエレクトリックコネクトソケット１１３の舌板１２１の高さは約０．６５ｍｍで、舌板１２１上下面の両対称空間の高さは約０．６ｍｍで、連接槽１６の高さは約１．８５ｍｍである。
【０１２１】
図６１及び図６２は、双方向片面で高さが小さいエレクトリックコネクトプラグ１２４と双方向両面で高さが小さいエレクトリックコネクトソケット１１４を示す。
双方向片面で高さが小さいエレクトリックコネクトプラグ１２４には、一列だけの第一端子４０を設置する。よって、接触インターフェース基板７６だけに、一列の接触部４４を設置し、双方向両面Ｃ-ＴＹＰＥ  ＵＳＢエレクトリックコネクトソケット１１４には、二列の第一端子１４を設置する。
絶縁台体１２には、基台１２２及び舌板１２１を設置する。基台１２２前端には、舌板１２１を突出状に設置する。基台１２２の厚みは、舌板１２１より大きく、舌板１２１の上下面には共に、一列の接触部１４１を設置する。
しかも、絶縁台体１２は、上台体１２５と下台体１２６とを重ねて形成される。上、下台体１２５、１２６は、一列の第一端子１４とそれぞれ埋め込み射出成形される。
【０１２２】
図６３に示す通り、双方向両面で高さが小さいエレクトリックコネクトプラグ１２３と双方向両面で高さが小さいエレクトリックコネクトソケット１１４とは対応接続する。
双方向両面Ｃ-ＴＹＰＥ  ＵＳＢエレクトリックコネクトプラグ１２３の絶縁台体１２は、二列の第一端子と一体に埋め込み射出成形される。こうして、倍加された伝送速度を達成できる。
プラグ及びソケットの２個の接触インターフェースは、相同の接触インターフェースで、しかも２個の接触インターフェースの接点回路シリアルナンバーは、相互に反対方向に配列される。
【０１２３】
高さが小さいエレクトリックコネクトプラグの接触インターフェースは、上下に弾動可能な接触部に設計可能で、高さが小さいエレクトリックコネクトソケットの接触インターフェースは、弾動不可の接触部に設計可能である。
【０１２４】
図６４〜図６８に示す通り、本発明第十三実施形態による双方向両面で高さが小さいエレクトリックコネクトプラグ１２３と双方向片面で高さが小さいエレクトリックコネクトソケット１１３はおおよそ、第十二実施形態と相同であるが、両者の差異は以下の通りである。
本実施形態による双方向両面で高さが小さいエレクトリックコネクトプラグ１２３の接触インターフェースには、７個の弾動不可の接触部４４を設置し、しかも少なくとも１個の光ファイバーケーブル８９を設置する。
光ファイバーケーブル８９は、嵌合接続空間７７の内端に、接点８９１を設置する。金属ハウジング６０の左右側には、係合フック部６５をそれぞれ設置する。係合フック部６５は、係合孔で、しかも絶縁台体の二側壁３４には、凹槽３０５を対応して設置し、これにより係合深度が深くなる。
高さが小さいエレクトリックコネクトソケットの接触インターフェースには、７個の上下に弾動可能な接触部１４１を設置し、しかも少なくとも１個の光ファイバーケーブルを設置する。
光ファイバーケーブルは、舌板１２１前端に、接点８９６を設置し、エレクトリックコネクトプラグの接点８９１に対応する。金属ハウジング１３の左右側には、内部へと突出状に係合フック部１８をそれぞれ設置する。係合フック部１８は、弾性係合フックで、係合フック部１８は、プラグを係合できる係合フック部６５である。係合フック部１８が係合フック部６５を係合する深さは比較的深いため、プラグをソケットに挿入する際に、係合するカチャと言う音声、或いは手応えがある。
【０１２５】
図６９及び図６９Ａは、本発明第十四実施形態は、アダプタケーブルである。該アダプタケーブル一端には、双方向両面ＵＳＢ２．０エレクトリックコネクトプラグ１００を連接し、反対端は二双方向両面ＭＩＣＲＯ  ＵＳＢエレクトリックコネクトプラグ１０２に連接する。
【０１２６】
図７０〜図７３に示す通り、本発明第十五実施形態は、アダプターで、それは回路基板を伝送媒介とする。
アダプターには、ハウジング８０を設置する。ハウジング８０内には、回路基板２００を設置する。回路基板２００上には、少なくとも１個の接点切換統合デバイス２５０を設置する。
アダプターの一端には、双方向両面ＵＳＢ３．０エレクトリックコネクトプラグ１０３を設置し、反対端には、中間サイズの双方向両面で高さが小さいエレクトリックコネクトソケット１１４を設置する。
舌板１２１の上下面には、９個の弾動しない接触部１４１をそれぞれ設置する。９つの弾動しない接触部１４１は、双方向両面ＵＳＢ３．０エレクトリックコネクトプラグ１０３の９つの回路接点に対応する。しかも、それは２個が長く７個が短く、二列を呈する弾動しない接触部１４１である。２つの長接触部１４１は、それぞれ舌板１２１の接続面の外側に配置されている。したがって、舌板１２１の上下には、ＵＳＢ３．０の3対の信号接触部、すなわちＤ＋、Ｄ−とＲＸ＋、ＲＸ−とＴＸ＋、ＴＸ−とをそれぞれ含む９つの接触部１４１がある。また、金属ハウジング１３の左右にはそれぞれ係合部１８が設けられており、係合フック部１８は係合孔（図７２に示す）である。
双方向両面ＵＳＢ３．０エレクトリックコネクトプラグ１０３及び該双方向両面で高さが小さいエレクトリックコネクトソケット１１４は共に、回路基板２００に電気的に接続し、しかも両者は、接点切換統合デバイス２５０を接点として統合され、相互に切り換えられる。
【０１２７】
前述の第九、十、十四実施形態によるアダプタケーブルにも、接点切換統合デバイスを設置し、異なる接触インターフェースの接点統合、並びに相互切り換えを行うことができる。
【０１２８】
アダプタケーブルであろうとアダプターであろうと、その両端の双方向エレクトリックコネクターは、ソケットであり、またプラグであり、また単一の接触インターフェース或いは２個の接触インターフェースである。
しかも、両者の接触インターフェースには共に、弾動しない接触部或いは全て弾動しない接触部を設置することができる。
【０１２９】
上述の各種実施形態おおよそどれも、コネクトケーブル或いはアダプタケーブルとする挿入接続プラグの応用である。
しかも、本発明は他のポータブルハードディスク、ワイヤレストランシーバー、アダプタエレクトリックコネクター、ＩＣコントローラー、家庭用電気製品等の電子デバイスの挿入接続プラグに応用することができる。
【０１３０】
本発明による双方向両面のプラグ或いはソケットは、２個の接触インターフェースを有するため、ショットキーダイオードを対応させて使用し、回路の安全確保のため、ショート防止或いは逆流防止を行うことができる。
また、逆流防止電子パーツ、或いはショート防止電子パーツ、或いは回路安全保護パーツ、或いは安全回路設置手段を設置するなどの多種の方式により、回路安全保護効果を達成することもできる。
この種のショート防止或いは逆流防止の回路保護の、この種の回路安全保護設置は、中華人民共和国特許申請番号２０１１２０３２０６５７．８及び２０１０２０５４７８４６．４に開示されているため、ここでは記載しない。
【０１３１】
図７５〜図７７に示す通り、本発明第十六実施形態による双方向両面ＵＳＢ３．０エレクトリックコネクトプラグはおおよそ、第二実施形態と相同であるが、両者の差異は以下の通りである。
本実施形態では、絶縁台体３０の後段には、嵌合接続槽３１５を設置し、回路基板２００を定位可能である。
回路基板２００前段両面には、一列の接点２０６をそれぞれ設置し、しかも後段一面には、一列の接点２０７を設置する。２個のＵＳＢ３．０接触インターフェースは、相同の接触インターフェースで、しかも接点回路シリアルナンバーは相互に反対方向に配列し、しかも一列の接点２０６にそれぞれ電気的に接続する。
２個のＵＳＢ３．０接触インターフェースの相同接回路シリアルナンバーは、同一回路に電気的に接続し、一列の接点２０７に至る一組の回路を呈する。コネクトケーブル８６の内の一組の９本の電線８５は、一列の接点２０７に電気的に接続する。
回路基板２００上には、回路安全保護デバイス２４０を設置する。回路安全保護デバイス２４０は、電子式逆流防止或いはショート防止などの回路安全保護手段、信号回路処理コントロールパーツ、或いは逆流防止電子パーツ、或いはショート防止電子パーツ、或いはショットキーダイオード、或いは回路安全保護パーツ、或いは安全回路設置手段などを有する。
回路安全保護デバイス２４０により、２個のＵＳＢ３．０接触インターフェースが、上述のように直列接続し一組の回路を形成する時の回路安全保護を確保でき、逆流、ショート或いは他の不良状況の発生を回避できる。
【０１３２】
図７７〜図８５に示す通り、本発明第十七実施形態による相互に対応接続する双方向両面ＵＳＢ  ＴＹＰＥ-Ｃエレクトリックコネクトソケット１及び双方向両面ＵＳＢ  ＴＹＰＥ-Ｃエレクトリックコネクトプラグ２はおおよそ第三実施形態と相同である。
【０１３３】
図７８〜図８２に示す通り、双方向両面ＵＳＢ  ＴＹＰＥ-Ｃエレクトリックコネクトプラグ２には、絶縁台体３０、２個の端子組、金属ハウジング６０、金属隔絶板６３０、接地カバー部材６４０、回路基板２００及び後カバー殼４００を有する。
【０１３４】
絶縁台体３０には、基台及び嵌合部材３２０を設置する。基台には、上下に重ねる上台体３０１及び下台体３０２を設置する。嵌合部材３２０は、基台前端に嵌合して接続する。嵌合部材３２０には、上下に相対し、しかも相同な高さの２個の絶縁層７６１を設置し、しかも２個の側板３４を有し、２個の絶縁層７６１に連接し、絶縁の嵌合接続枠体を呈する。これにより、嵌合部材３２０の前端は挿口となり、後端は嵌接面となる。
２個の絶縁層７６１の相対面は、反対方向の２個の連接面３２３を呈し、２個の連接面３２３間には、嵌合接続空間７７を形成する。２個の絶縁層７６１内面後段には、間隔を開けた一列の隔絶板を設置し、一列の凹槽３２２をそれぞれ区画する。
２個の連接面３２３は、前段が後段より小さく、これにより嵌合接続空間７７の高さは、前段が後段より大きく、２個の絶縁層７６１前端には、３個の開口３２８をそれぞれ設置し、２個の側板には、開口３２９をそれぞれ設置する。
【０１３５】
２個の端子組は、絶縁台体３０の上、下基台とそれぞれ埋め込み射出して固定し、２個の端子組は、それぞれ一列１２個の第一端子４０及び一列１０個の第一端子４０である。
各第一端子４０は、一端からもう一端へと順番に、ピン４１、固定部４２及び延伸部４３を設置する。
固定部４２と基台３１とは固定する。延伸部４３は、固定部４２前端に連接して延伸し、基台３１前方に位置し、しかも嵌合部材３２０で包み込み、しかも凹槽３２２において上下弾動可能である。延伸部４３は前端近くが湾曲して突出し接触部４４を設置する。接触部４４は連接面３２３後段から嵌合接続空間７７まで突出する。ピン４１は、固定部４２後端に連接し、基台後端に伸び出す。
二列の第一端子４０の接触部の相同回路シリアルナンバーは、相互に反対方向に配列される。
【０１３６】
図７９に示す通り、下方の端子組の接触部４４の接点回路シリアルナンバーは、左から右へ１、２、３…１１、１２と配列し、上方の端子組の接触部４４の接点回路シリアルナンバーは、左から右へ１２、１１…３、２、１と配列する。
下方の端子組は１０個で、接触部の接点回路シリアルナンバーの６と７の端子がない。
【０１３７】
金属隔絶板６３０は、絶縁台体３０の上、下基台３０１、３０２間に組み付け、これにより２個の端子組を隔てる。
金属隔絶板６３０左右側は、一体に後方へと延伸し、ピン６３１をそれぞれ設置し、しかも左右側は一体に前方へと延伸し、弾性係合フック６３２をそれぞれ設置する。
弾性係合フックの前端近くには、係合フック凸部６３３を設置し、嵌合接続空間７７左右側に位置する。
係合フック凸部６３３の高さは、金属隔絶板６３０の材料の厚みより大きく、しかも実質的に嵌合接続空間７７の中心高さに位置する。
２個の弾性係合フック６３２が左右に弾動すると、対応接続部３２両側の開口３２９は、２個の弾性係合フック６３２の位置を譲ることができる。
弾性係合フック６３２後端は板面で、金属隔絶板６３０に垂直を呈して連接し、しかも後段には、屈折部６３５を設置する。これにより、前段と後端とは上下段差を呈し、係合フック凸部６３３の中心高さは実質的に、金属隔絶板６３０の厚み中心に位置する。
【０１３８】
接地カバー部材６４０は、四面ハウジング体を有し、第二金属殼を呈する。
四面ハウジング体の上下板片は、即ち２個の接地カバー片である。２個の接地カバー片前端は、それぞれ内側へと反対に三弾片に折れ、三弾片はそれぞれ湾曲して接触部６４３を突出する。
接地カバー部材６４０は、絶縁台体３０外に嵌合して接続する。２個の接地カバー片６４０の接触部６４３は、２個の連接面３２３前段にそれぞれ突出する。
２個の端子組の接触部４４は、２個の連接面３２３後段にそれぞれ露出し、しかも２個の接地カバー片６４０の接触部６４３に比べ、嵌合接続空間７７中心高さに近い。
【０１３９】
該金属ハウジング６０は、絶縁台体３０及び該接地カバー部材６４０を包み込み、該金属ハウジング６０の前段は、四面包主殼体６１が対応接続部を覆い、しかも両者は嵌合接続部７５を形成し、該嵌合接続部７５の形状は正反両面で一対応接続のコネクターに定位し、該嵌合接続部７５は２個の接触インターフェース基板７６及び該嵌合接続空間７７を有し、該接触インターフェース基板７６の外層は、該金属ハウジングであり、しかも内層は、該絶縁層７６１である。
【０１４０】
回路基板２００は、印刷回路基板で、その上、下面前後端には、独立回路連接である一列の接点２０６をそれぞれ設置する。
回路基板２００は、絶縁台体３０後端に係合接続し、２個の端子組のピン４１は、上下面前端の一列の接点２０６にそれぞれ溶接される。
金属隔絶板６３０の２個のピン６３１は、上面前端の２個の接点２０６に溶接される。
【０１４１】
双方向両面ＵＳＢ  ＴＹＰＥ-Ｃエレクトリックコネクトプラグ２は、高さが小さいコネクター設計である。図７９に示す通り、２個の接触インターフェース基板７６の高さａは約０．８ｍｍで、嵌合接続空間７７の高さｂは約０．８ｍｍで、嵌合接続部７５の高さの合計は約２．４ｍｍである。
【０１４２】
図８３〜図８５に示す通り、本実施形態によるシンキングタイプの双方向両面ＵＳＢ  ＴＹＰＥ-Ｃエレクトリックコネクトソケット１は、絶縁台体１２、２個の端子組、接地カバー部材１９、金属隔絶板１７、金属ハウジング１３及び第二金属殼１３２を有する。
【０１４３】
絶縁台体１２は、プラスチック材質で、しかも基台１２２及び舌板１２１を設置する。
基台１２２前端は突出し舌板１２１を設置する。
舌板１２１の上下面の板面は、比較的大きい２個の連接面である。舌板１２１の内段は外側に比べて厚く凸字形を呈し、これにより２個の連接面内段１２０８は、２個の連接面外側１２０７に比べて突出している。
絶縁台体１２には、第一台体１２５、第二台体１２６及び舌板外台１２９を設置する。
第一、二台体１２５、１２６は上下に重なり、舌板外台１２９は、第一、二台体１２５、１２６の外端に接合する。
【０１４４】
２個の端子組はそれぞれ、一列各１２個の第一端子１４で、２個の端子組は、それぞれ第一、二台体１２５、１２６と埋め込み射出成形される。
各第一端子１４一端は、延伸して接触部１４１を設置し、しかも反対端は延伸してピン１４３を設置し、基台１２２の後端に伸び出る。
２個の端子組の接触部１４１一面は、舌板１２１の２個の連接面外側１２０７にそれぞれ露出し、しかももう一面には舌板を埋め込み密着固定する。よって、２個の端子組の接触部１４１は弾動不可である。
２個の端子組の接触部１４１は、相同の接触インターフェースで、しかも上下対応を呈し、しかも２個の接触インターフェースの接点回路シリアルナンバーは、相互に反対方向に配列される。
【０１４５】
図８４に示す通り、上の列の接触部１４１の接点回路シリアルナンバーは、左から右へ１から１２で、下の列の接触部１４１の接点回路シリアルナンバーは、右から左へ１から１２である。
２個の端子組の接触部１４１は、二列の異なる長さを呈し、即ち四つが長く八つが短い。
【０１４６】
金属ハウジング１３は、絶縁台体１２を包み込み、しかも基台１２２と接続して係合定位する。
金属ハウジング１３には、四面包主殼体１３１と基台１２２を設置し、前端に連接槽１６を形成する。
舌板１２１は、連接槽１６の中間高さに、水平にオーバーハングする。舌板１２１の２個の連接面は、対称空間を形成する。
連接槽１６の形状は上下対称で、しかも左右対称である。
第二金属殼１３２は、第一殼体１３外に嵌合して緊密に対応する。
【０１４７】
金属隔絶板１７は、第一、二台体１２５、１２６の間に固定される。
金属隔絶板１７の両側には、陥没した係合槽１７５を設置する。
舌板１２１両側には、凹部１２０５を設置し、係合槽１７５に対応する。
【０１４８】
接地カバー部材１９は、金属板片を屈折させて形成し、２個の接地カバー片を一体に設置する。
２個の接地カバー片は、段差を呈する第一板片１９１及び第二板片１９２をそれぞれ設置する。
２個の第一板片１９１は、舌板１２１の２個の連接面内段１２０８を包み込む。２個の第二板片１９２は、基台１２２の上下面を包み込み、しかも金属ハウジング１３と導接する。
【０１４９】
双方向両面ＵＳＢ  ＴＹＰＥ-Ｃエレクトリックコネクトソケット１は、高さが小さいコネクター設計である。図７９に示す通り、連接槽１６の高さの合計は約２．５６ｍｍで、舌板１２１の２個の連接面の対称空間の高さｃは約０．９３ｍｍで、舌板前段（接触インターフェース）の高さｄは約０．７ｍｍである。
【０１５０】
図７８に示す通り、本実施形態によるソケット１及びプラグ２双方向かつ両面とも電気的に接続可能で、倍加された伝送及び便利な挿入接続という効果を達成することができる。
即ち、プラグ２の２個の端子組の接触部４４は共に、ソケット１の２個の端子組の接触部１４１と電気的に接続可能である。
ソケット１の舌板１２１は、プラグ２の嵌合接続空間７７に接合される。プラグ２の２個の接触インターフェース基板７６は、ソケット１の舌板１２１の２個の連接面の対称空間に嵌合される。
プラグの接地カバー部材６４０の接触部６４３は、ソケットの接地カバー部材１９の第一板片１９１に導接される。
プラグの弾性係合フック６３２の係合フック凸部６３３は、ソケットの金属隔絶板１７の係合槽１７５に係合される。これにより、プラグ及びソケットは、相互に係合を形成する。
【０１５１】
以上説明により明らかなように、本実施は以下の長所を備える。
１．プラグ及びソケットは双方向かつ両面とも電気的に接続可能で、倍加された伝送及び便利な挿入接続という効果を達成することができ、しかも高さが小さい設計で、コンパクトである。
２．プラグ及びソケットの絶縁台体にはともに、上下に重ねる上、下台体を設置し、上、下台体は、それぞれ１個の端子組と埋め込み射出して固定され、こうして製造上の利便性を達成する。
３．プラグの弾性係合フック６３２の係合フック凸部６３３の高さは、金属隔絶板６３０の材料の厚みより大きく、しかも弾性係合フック６３２には、屈折部６３５を設置し、これにより前段と後端とは上下の段差６３５を形成し、係合フック凸部６３３の中心高さは実質的に金属隔絶板６３０の厚み中心に位置する。
【０１５２】
図８６〜図９１に示す通り、本発明第十八実施形態による相互に双方向対応接続の双方向片面ＵＳＢ  ＴＹＰＥ-Ｃエレクトリックコネクトソケット３及び双方向両面ＵＳＢ  ＴＹＰＥ-Ｃエレクトリックコネクトプラグ２はおおよそ、第十七実施形態と相同であるが、本実施形態は、充電型オスメスコネクターで、よって、各接触インターフェースの端子数は比較的少なく、わずかに５個である。
【０１５３】
図８６〜図８９に示す通り、双方向両面ＵＳＢ  ＴＹＰＥ-Ｃエレクトリックコネクトプラグ２と前記実施形態との差異は以下の通りである。
本実施形態では、絶縁台体３０の上台体３０１及び下台体３０２の前段に、接触インターフェース基板７６の絶縁層７６１をそれぞれ一体に設置する。
２個の絶縁層７６１の両側には、２個の側板３４を設置し相互に接続する。２個の側板３４は定位構造とし、２個の絶縁層７６１の間隔を呈し、嵌合接続空間７７を形成する。
２個の端子組はそれぞれ、一列５個の第一端子４０で、上台体３０１及び下台体３０２と埋め込み射出して固定する。
二列の第一端子４０の接触部４４の相同の回路シリアルナンバーは、相互に反対方向に配列される。
【０１５４】
図８８に示す通り、下方の端子組の接触部４４の接点回路シリアルナンバーは、左から右へ１、４、５、６、７と配列し、上方の端子組の接触部４４の接点回路シリアルナンバーは、左から右へ７、６、５、４、１と配列する。
【０１５５】
接点回路シリアルナンバー１、４はそれぞれ、接地及び電源端子であるため、構造上、図８９に示す通り、固定部４２を広くするなど、板面が比較的広く設計される。こうして、電流伝導を加速する。
【０１５６】
双方向両面ＵＳＢ  ＴＹＰＥ-Ｃエレクトリックコネクトプラグ２の２個の接触インターフェース基板７６の高さａは約０．８ｍｍで、嵌合接続空間７７の高さｂは約０．８ｍｍで、嵌合接続部７５の高さの合計は約２．４ｍｍである。
【０１５７】
双方向両面ＵＳＢ  ＴＹＰＥ-Ｃエレクトリックコネクトプラグ２は同じく、第十七実施例に同様で回路基板及び後カバーを設け、しかも該回路基板により、該２個の接触インターフェースの相同接点回路シリアルナンバーを同一回路に電気的に接続し、一組の回路を呈し、輸出，こうして、双方向対応接続の双方向片面エレクトリックコネクトソケットに合わせる。
【０１５８】
図９０〜図９１に示す通り、双方向片面ＵＳＢ  ＴＹＰＥ-Ｃエレクトリックコネクトソケット３と第十七実施形態の差異は以下の通りである。
本実施形態では、絶縁台体１２には、１個の端子組だけを埋め込み射出する。
端子組は、一列５個の第一端子１４で、一列５個の第一端子１４の接触部１４１は、舌板１２１に密着し、しかも連接面外側１２０７に露出し、接触インターフェースを形成する。
【０１５９】
該双方向片面ＵＳＢ  ＴＹＰＥ-Ｃエレクトリックコネクトソケット３は、高さが小さいコネクター設計で，該連接槽１６の高さの合計は約２．５６ｍｍで、該舌板１２１の２個の連接面の対称空間の高さｃは約０．９３ｍｍで、該舌板前段（接触インターフェース）の高さｄは約０．７ｍｍである。
【０１６０】
本実施形態によるプラグ、コンセント対応接続は、双方向挿入接続可能であるが、片面エレクトリックコネクトである。
よって、プラグとソケットの組合せは、２個の接触インターフェースを有し、もう一つは、単一の接触インターフェースである。
【０１６１】
図９２及び図９３に示す通り、本発明第十九実施形態による相互双方向対応接続の双方向両面ＵＳＢ  ＴＹＰＥ-Ｃエレクトリックコネクトソケット１及び双方向片面ＵＳＢ  ＴＹＰＥ-Ｃエレクトリックコネクトプラグ４は、おおよそ第十八実施形態と相同であるが、両者の差異は以下の通りである。
図９２に示す通り、双方向片面ＵＳＢ  ＴＹＰＥ-Ｃエレクトリックコネクトプラグ４は、上台体３０１においてのみ、一列の第一端子４０を埋め込み射出して設置する。よって、上方の接触インターフェース基板７６のみに、接触インターフェースを設置する。
図９３に示す通り、双方向両面ＵＳＢ  ＴＹＰＥ-Ｃエレクトリックコネクトソケット１の絶縁台体１２には、２個の端子組を埋め込み射出して設置する。よって、舌板１２１の２個の連接面外側１２０７には、接触インターフェースの一列の接触部１４１をそれぞれ形成する。
【０１６２】
本願発明の実施形態によるソケットは、２個の接触インターフェースを有するため、回路基板上に電気的に接続する。
回路基板には、直列接続回路を設置し、ソケットの２個の接触インターフェースの相同接点回路シリアルナンバーは、同一回路に電気的に接続し、一組の回路を形成する。
こうして、双方向対応接続の双方向片面エレクトリックコネクトプラグに対応可能である。
【０１６３】
本発明は、前述の通り、好ましい実施例を既に開示したが、これらは本発明に制約を加えるものではない。本業務に熟知する技術員が、本発明の技術手段の範囲を逸脱せずに、前述に開示した技術内容に基づいて若干の変更或いは修飾を加えて同等効果を有する実施例を生み出すことは可能であるが、本発明の技術手段を逸脱しない内容であり、本発明の技術的根本となるものに依拠して、以上の実施例に対して行なう如何なる簡単な修正、同等効果を有する変化、及び修飾は全て、本発明の技術手段の範囲内に属することをここに明記する。
【符号の説明】
【０１６４】
１  エレクトリックコネクトソケット
１０  エレクトリックコネクトソケット
１００  エレクトリックコネクトプラグ
１０１  エレクトリックコネクトソケット
１０２  エレクトリックコネクトプラグ
１０３  エレクトリックコネクトプラグ
１０４  エレクトリックコネクトプラグ
１０６  エレクトリックコネクトプラグ
１０７  エレクトリックコネクトプラグ
１０９  エレクトリックコネクトプラグ
１１  エレクトリックコネクトソケット
１１１  エレクトリックコネクトソケット
１１２  エレクトリックコネクトソケット
１１３  エレクトリックコネクトソケット
１１４  エレクトリックコネクトソケット
１２  絶縁台体
１２０  エレクトリックコネクトプラグ
１２０５  凹部
１２０７  連接面外側
１２０８  連接面内段
１２１  舌板
１２２  基台
１２３  エレクトリックコネクトプラグ
１２４  エレクトリックコネクトプラグ
１２５  上台体
１２６  下台体
１２９  舌板外台
１３  金属ハウジング
１３２  第二金属殼
１４  第一端子
１４１  接触部
１４３  ピン
１５  第二端子
１５１  接触部
１６  連接槽
１６１  小空間
１６２  大空間
１７  金属隔絶板
１７５  係合槽
１８  係合フック部
１９  接地カバー部材
１９１  第一板片
１９２  第二板片
２  エレクトリックコネクトプラグ
２０  エレクトリックコネクトプラグ
２００  回路基板
２１  金属ハウジング
２０１  エレクトリックコネクトプラグ
２０６  接点
２０７  接点
２４  嵌合接続槽
２４０  回路安全保護デバイス
２５  インターフェース基板
２５０  切換統合デバイス
３  エレクトリックコネクトソケット
３０  絶縁台体
３０１  上台体
３０２  下台体
３０５  凹槽
３１  第一端子槽
３１５  嵌合接続槽
３２  凹部
３２０  嵌合部材
３２２  凹槽
３２３  ２個の連接面
３２５  粘着テープ
３２８  ３個の開口
３２９  開口
３３  第二端子槽
３４  側板
３５  補強片
４  エレクトリックコネクトプラグ
４０  第一端子
４００  後カバー殼
４１  ピン
４１１  接線部
４２  固定部
４３  延伸部
４４  接触部
４５  延伸片
５０  第二端子
５１  ピン
５１１  接線部
５２  固定部
５３  延伸部
５４  接触部
５５  延伸片
６０  金属ハウジング
６１  四面包主殼体
６１３  開孔
６３０  金属隔絶板
６３１  ピン
６３２  弾性係合フック
６３３  係合フック凸部
６３５  屈折部
６４０  接地カバー部材
６４１  接地カバー片
６４３  接触部
６５  係合フック部
６６  凸部
７０  後キャップ
７１  中部
７２  上部
７３  下部
７５  嵌合接続部
７６  接触インターフェース基板
７６１  絶縁層
７７  嵌合接続空間
８０  ハウジング
８５  電線
８６  コネクトケーブル
８７  金属隔絶板
８８  金属隔絶板
８９  光ファイバーケーブル
８９１  接点
８９６  接点
９０  エレクトリックコネクトソケット
９０１  エレクトリックコネクトソケット
９０２  エレクトリックコネクトソケット
９０３  エレクトリックコネクトソケット
９０４  エレクトリックコネクトソケット
９０５  エレクトリックコネクトソケット
９２  絶縁台体
９２１  舌板
９３  金属ハウジング
９４  第一端子
９６  連接槽
９７  後蓋
９４１  ピン
９４２  固定部
９４３  延伸部
９４４  接触部
９５  第二端子
９５４  接触部
９６  連接槽
【手続補正２】
【補正対象書類名】特許請求の範囲
【補正対象項目名】全文
【補正方法】変更
【補正の内容】
【特許請求の範囲】
【請求項１】
双方向エレクトリックコネクトプラグは、エレクトリックコネクトソケットに挿入接続可能で、
前記エレクトリックコネクトソケットには、連接槽を設置し、
前記連接槽の中間の高さには、舌板を設置し、
前記舌板の２個の連接面には、対称の空間を形成し、
前記双方向エレクトリックコネクトプラグは、絶縁台体、金属ハウジング及び嵌合接続部を有し、
前記金属ハウジングは、前記絶縁台体を包み込み、
前記嵌合接続部は、前記絶縁台体一端に設置し、前記エレクトリックコネクトソケットの連接槽に挿入可能で、
前記嵌合接続部には、相同の高さで、しかも相互に対面する２個の接触インターフェース基板、及び嵌合接続空間を設置し、
前記２個の接触インターフェース基板には、それぞれ絶縁層を設置し、しかも両者の嵌合接続空間を隔て、
前記２個の接触インターフェース基板の内層は、前記絶縁層で、しかも外層は、前記金属ハウジングであり、
前記２個の接触インターフェース基板の少なくとも１個の接触インターフェース基板には、接触インターフェースを設置し、これにより前記スエレクトリックコネクトソケットに電気的に接続し、
前記接触インターフェースは、前記絶縁台体の反対端に電気的に接続し、
前記嵌合接続部は、前記エレクトリックコネクトソケットの連接槽に正方向と反対方向の双方向挿入が可能で、
前記２個の接触インターフェース基板の高さは共に、前記舌板の２個の連接面の空間に嵌合可能で、
前記２個の接触インターフェース基板と前記舌板の２個の連接面の嵌合間隙は共に、０．１５ｍｍより小さく、しかも緊密に対応して嵌合し、
前記嵌合接続空間には、前記舌板を嵌合し、しかも定位構造をさらに設置し、
前記定位構造は、前記２個の接触インターフェース基板の絶縁層を定位し、
前記接触インターフェースは、多数の端子により形成され、各端子には、ピン、固定部及び延伸部が設置され、
前記固定部と前記絶縁台体とは固定され、前記延伸部は、前記固定部一端に連接され、  前記接触インターフェース基板へと延伸し、しかも接触部を設置し、
前記ピンは、前記固定部反対端に連接し、前記絶縁台体に伸び出し、
前記多数の端子の接触部には、前記接触インターフェースを形成し、
前記２個の接触インターフェース基板の高さは、ＵＳＢ協会で規定された最小高さ規格の標準型エレクトリックコネクトプラグの嵌合接続インタフェース基板よりも小さく、かつＵＳＢ協会で規定された、最小高さ規格の標準型エレクトリックコネクトソケットの連接槽の小空間よりも大きく、
前記標準型エレクトリックコネクトプラグは、前記標準型エレクトリックコネクトソケットに対応接続し、
前記標準型エレクトリックコネクトソケットには、連接槽を設置し、
前記連接槽の上下方向の偏った片側には、舌板を設置し、
前記舌板は、対応する二面に、大空間及び小空間を設置し、
前記舌板の前記大空間に面する一面には、一組の接触部を設置し、
前記標準型エレクトリックコネクトプラグの連接部には、嵌合接続槽及び前記嵌合接続インタフェース基板を設置し、
前記嵌合接続槽には、前記舌板を嵌合して接続し、
前記嵌合接続インタフェース基板は、前記大空間に嵌合することを特徴とする双方向エレクトリックコネクトプラグ。
【請求項２】
前記２個の接触インターフェース基板には、接触インターフェースをそれぞれ設置して前記エレクトリックコネクトソケットに電気的に接続し、
前記２個の接触インターフェースの接点回路シリアルナンバーは、相互に反対方向に配列され、
前記絶縁台体の中間には、横方向に延伸する金属隔絶板を設置し、
前記金属隔絶板は、前記２個の接触インターフェースの多数の端子を隔てることを特徴とする請求項１に記載の双方向エレクトリックコネクトプラグ。
【請求項３】
前記２個の接触インターフェース基板には、接触インターフェースをそれぞれ設置して前記エレクトリックコネクトソケットに電気的に接続し、
前記２個の接触インターフェースの接点回路シリアルナンバーは、相互に反対方向に配列され、
前記２個の接触インターフェース基板には、弾動可能な前後二列の接触部をそれぞれ突出状に設置し、前記前後二列の接触部のうち少なくとも後方列の接触部が前記接触インターフェースであり、
前記２個の接触インターフェース基板の絶縁層には、前記前後二列の接触部を隔てるための横方向の前後分離領域が設置されることを特徴とする請求項１に記載の双方向エレクトリックコネクトプラグ。
【請求項４】
前記２個の接触インターフェース基板には、接触インターフェースをそれぞれ設置して前記エレクトリックコネクトソケットに電気的に接続し、
前記２個の接触インターフェースの接点回路シリアルナンバーは、相互に反対方向に配列され、
前記２個の接触インターフェース基板には、弾動可能な前後二列の接触部をそれぞれ突出状に設置し、前記前後二列の接触部のうち少なくとも後方列の接触部が前記接触インターフェースであり、
前記二列の接触部には、少なくとも１個の接地接触部をそれぞれ設置し、
前記前方列の接触部は固定部に連接し、前記固定部は前記接触インターフェース基板に延伸して位置決めされ、後方列接触部の端子の固定部は、前記絶縁台体に延伸して位置決めされることを特徴とする請求項１に記載の双方向エレクトリックコネクトプラグ。
【請求項５】
前記２個の接触インターフェース基板には、接触インターフェースをそれぞれ設置して前記エレクトリックコネクトソケットに電気的に接続し、
前記２個の接触インターフェースの接点回路シリアルナンバーは、相互に反対方向に配列され、
前記２個の接触インターフェース基板には、弾動可能な前後二列の接触部をそれぞれ突出状に設置し、前記前後二列の接触部のうち少なくとも後方列の接触部が前記接触インターフェースであり、
前記接触インターフェース基板は、前記絶縁台体と一体に成形し、
前記２個の接触インターフェース基板には、前記後方列の接触部が上下に弾動の時、前記金属ハウジングに接触しないように、前記後方列の接触部に対応する仕切構造が設置されることを特徴とする請求項１に記載の双方向エレクトリックコネクトプラグ。
【請求項６】
前記２個の接触インターフェース基板には、接触インターフェースをそれぞれ設置して前記エレクトリックコネクトソケットに電気的に接続し、
前記２個の接触インターフェースの接点回路シリアルナンバーは、相互に反対方向に配列され、
少なくとも１個の前記接触インターフェースには、少なくとも一列の７個接触部を設置し、
嵌合空間の左右にはそれぞれ係合部が設置され、前記エレクトリックコネクトソケットの連接槽の左右の係合部と相互に係合することを特徴とする請求項１に記載の双方向エレクトリックコネクトプラグ。
【請求項７】
前記２個の接触インターフェース基板には、接触インターフェースをそれぞれ設置して前記エレクトリックコネクトソケットに電気的に接続し、
前記２個の接触インターフェースの接点回路シリアルナンバーは、相互に反対方向に配列され、
２個の前記接触インターフェースの接触部は、前記２個の接触インターフェース基板絶縁層に突出して上下に弾動でき、
しかも２個の前記接触インターフェースには、少なくとも３対の信号接触部を設置することを特徴とする請求項１に記載の双方向エレクトリックコネクトプラグ。
【請求項８】
前記２個の接触インターフェース基板には、接触インターフェースをそれぞれ設置して前記エレクトリックコネクトソケットに電気的に接続し、
前記２個の接触インターフェースの接点回路シリアルナンバーは、相互に反対方向に配列され、
前記２個の接触インターフェース基板には、弾動可能な前後二列の接触部をそれぞれ突出状に設置し、前記前後二列の接触部のうち少なくとも後方列の接触部が前記接触インターフェースであり、
前記前方列の接触部は、固定部に連接し、前記接触インターフェースに埋設され射出され固定され、前記後方列の接触部の端子の固定部は前記絶縁台体に位置決めされることを特徴とする請求項１に記載の双方向エレクトリックコネクトプラグ。
【請求項９】
前記２個の接触インターフェース基板には、接触インターフェースをそれぞれ設置して前記エレクトリックコネクトソケットに電気的に接続し、
前記２個の接触インターフェースの接点回路シリアルナンバーは、相互に反対方向に配列され、
前記２個の接触インターフェース基板には、弾動可能な前後二列の接触部をそれぞれ突出状に設置し、前記前後二列の接触部のうち少なくとも後方列の接触部が前記接触インターフェースであり、
前記２個の接触インターフェース基板の前記接触インターフェースには、少なくとも２対のＲＸ＋、ＲＸ−及びＴＸ＋、ＴＸ−信号接触部が設置されることを特徴とする請求項１に記載の双方向エレクトリックコネクトプラグ。
【請求項１０】
前記２個の接触インターフェース基板には、接触インターフェースをそれぞれ設置して前記エレクトリックコネクトソケットに電気的に接続し、
前記２個の接触インターフェースの接点回路シリアルナンバーは、相互に反対方向に配列され、
前記２個の接触インターフェース基板の内層の絶縁層と外層の金属ハウジングの間には、層体を設置することを特徴とする請求項１に記載の双方向エレクトリックコネクトプラグ。
【請求項１１】
前記双方向エレクトリックコネクトプラグは、以下のａからｈの内の一つ或いは少なくとも二つ上の組合せで、
ａ．前記２個の接触インターフェース基板の前方列の接触部の幅は、後方列の接触部の幅よりも広く、
ｂ．前記２個の接触インターフェース基板の前記後方列の接触部は、前記前方列の接触部よりも嵌合接続空間の中心高さに近く、前記二列の接触部は前が低く、後が高い形態を呈し、前記２個の接触インターフェース基板には、高低差のある接触部を形成し、
ｃ．前記２個の接触インターフェース基板の前記後方列の接触部は、前記前方列の接触部よりも嵌合接続空間の中心高さに近く、前記二列の接触部は前が低く、後が高い形態を呈し、前方列および後方列接触部の各々は、接地接触部を備え、前記２個の接触インターフェース基板には、高低差のある接触部を形成して双方向エレクトリックコネクトソケットの高低接地接触部に電気的に接続し、
ｄ．前記２個の接触インターフェース基板の前記前方列の接触部の数は、前記後方列の接触部の数よりも少なく、
ｅ．前記２個の接触インターフェース基板の前記前方列の接触部の配置の幅は、前記後方列の接触部の配置の幅よりも狭く、
ｆ．記２個の接触インターフェース基板の前記前方列の接触部は、前記後方列の接触部よりも広くて低く、
ｇ．接触インターフェース基板には、窪みを有する弾動空間を設置し、前記後方列の接触部を形成する一列の端子は、前記弾動空間で上下に弾動し、前記絶縁層は、前記金属ハウジングと隔てるため、前記弾動空間に底面を設置し、
ｈ．触インターフェース基板には、窪みを有する弾動空間を設置し、前記後方列の接触部を形成する一列の端子は、前記弾動空間で上下に弾動することを特徴とする請求項３或いは５或いは８或は９に記載の双方向エレクトリックコネクトプラグ。
【請求項１２】
前記絶縁台体の中間には、横方向に延伸する金属隔絶板を設置し、前記金属隔絶板は、前記２個の接触インターフェースの多数の端子を隔てることを特徴とする請求項３或いは４或いは５或は６或は７或は８或は９或は１０に記載の双方向エレクトリックコネクトプラグ。
【請求項１３】
前記双方向エレクトリックコネクトプラグは、以下のａからｍの内の一つ或いは少なくとも二つ上の組合せで、
ａ．前記２個の接触インターフェース基板は、前記絶縁台体と一体に成形し、
ｂ．前記２個の接触インターフェースの相同の接点回路は、同一回路に電気的に接続し、一組の回路を呈し、
ｃ．前記２個の接触インターフェースの相同の接地及び電源接点回路は、電気的に接続し、
ｄ．前記２個の接触インターフェースの多数の端子は、それぞれ一列の水平方向のピンを呈し、上下配列する二列の水平方向のピンを呈し、
ｅ．前記２個の接触インターフェースの多数の接触部は、相互に電気的に接続しておらず、独立な回路であり、
ｆ．前記２個の接触インターフェースの相同の接点回路のうちの少なくとも１対が電気的に接続し、
ｇ．前記２個の接触インターフェースの相同の接点回路のうちの少なくとも１対が連接媒介により電気的に接続し、
ｈ．前記２個の接触インターフェースは、少なくとも９個の接触部であり、
ｉ．前記２個の接触インターフェースは、相同の接触インターフェースであり、
ｊ．さらに回路基板を設置し、前記回路基板上には、電子式回路安全保護手段を設置し、前記電子式回路安全保護手段は、信号回路処理コントロールパーツ、或いは逆流防止電子パーツ、或いはショート防止電子パーツ、或いはショットキーダイオード、或いは回路安全保護パーツ、或いは安全回路設置手段を有し、
ｋ．前記２個の接触インターフェースには、２対の信号接触部ＲＸ＋、ＲＸ−及びＴＸ＋、ＴＸ−をそれぞれ設置し、且つ前記信号接触部は、独立の回路で相互に電気的に接続しておらず、
ｌ．前記絶縁台体は、前記多数の端子のうちの少なくとも一列の端子を埋め込み射出し、或いは前記多数の端子のうちの少なくとも一列の端子を取り付け、
ｍ．前記エレクトリックコネクトソケットの舌板のの２個の連接面には、接触インターフェースをそれぞれ設置し、前記２個の接触インターフェース基板の前記２個の接触インターフェースと前記エレクトリックコネクトソケットの２個の接触インターフェースとは両面の電気的な接続を形成することを特徴とする請求項２或は３或いは４或いは５或は６或は７或は８或は９或は１０に記載の双方向エレクトリックコネクトプラグ。
【請求項１４】
前記絶縁台体には、上下に重ねる上台体及び下台体を設置し、前記２個の接触インターフェースの多数の端子の固定部はそれぞれ前記上台体及び前記下台体に埋め込み射出され固定されることを特徴とする請求項２或は６或は７に記載の双方向エレクトリックコネクトプラグ。
【請求項１５】
前記双方向エレクトリックコネクトプラグは、以下のａからｄの内の一つ或いは少なくとも二つ上の組合せで、
ａ．前記上台体及び前記下台体は、それぞれ前記接触インターフェース基板に一体に連接し、
ｂ．前記上台体及び前記下台体は、それぞれ前記接触インターフェース基板に一体に連接し、前記２個の接触インターフェースの多数の端子は、それぞれ接触部が上下弾動可能な一列の端子を有し、二列の端子の固定部は、それぞれ前記上台体及び前記下台体に埋め込み射出され固定され、前記二列の端子の前端は、それぞれ２個の接触インターフェース基板に埋め込み射出され固定され、
ｃ．前記上台体及び前記下台体は、それぞれ前記接触インターフェース基板に一体に連接し、前記２個の接触インターフェース基板の前端には、それぞれ挿入口から反対に折れて内に順に延伸する一列の弾動接触部を設置し、
ｄ．前記２個の接触インターフェース基板には、弾動可能な前後二列の接触部をそれぞれ突出状に設置し、前記前後二列の接触部のうち少なくとも後方列の接触部が前記接触インターフェースであり、２個の前記後方列の接触部には、それぞれ固定部を連接し、前記上台体及び前記下台体にそれぞれ埋め込み射出され固定され、２個の前記前方列の接触部には、それぞれ固定部を連接し、前記２個の接触インターフェース基板にそれぞれ埋め込み射出され固定されることを特徴とする請求項１４に記載の双方向エレクトリックコネクトプラグ。
【請求項１６】
前記接触インターフェースは、少なくとも５個の接点回路シリアルナンバーが順に配列する接触部であり、これにより、前記双方向エレクトリックコネクトソケットに双方向に電気的に接続し、１対のみの信号接触部を有するのは、前記２個の接触インターフェースの内の１個の接触インターフェースであることを特徴とする請求項１或は２或は３或いは４或いは５或は６或は７或は８或は９或は１０に記載の双方向エレクトリックコネクトプラグ。
【請求項１７】
前記双方向エレクトリックコネクトプラグは、以下のａからｅの内の一つ或いは少なくとも二つ上の組合せで、
ａ．前記１対のみの信号接触部は、ＵＳＢ２．０信号接触部であり、それぞれはＤ＋、Ｄ−であり、
ｂ．前記接触インターフェースの少なくとも５個の接触部は、前記接触インターフェース基板から突出し、且つ少なくとも一列の水平方向のピンを設置し、
ｃ．前記２個の接触インターフェース基板の内の１個のみには、前記接触インターフェースを設置し、
ｄ．前記接触部は、上下に弾動するか弾動しない、
ｅ．前記多数の端子の固定部は前記絶縁台体に埋め込み固定されることを特徴とする請求項１６に記載の双方向エレクトリックコネクトプラグ。
【請求項１８】
２対のみの信号接触部を有するのは、前記２個の接触インターフェースの内の１個の接触インターフェースであることを特徴とする請求項１或は２或は３或いは４或いは５或は６或は７或は８或は９或は１０に記載の双方向エレクトリックコネクトプラグ。
【請求項１９】
前記双方向エレクトリックコネクトプラグは、以下のａからｆの内の一つ或いは少なくとも二つ上の組合せで、
ａ．少なくとも一列の水平方向のピンを設置し、
ｂ．前記一列の接触部は前記接触インターフェースから突出して上下に弾動でき、
ｃ．前記２対のみの信号接触部は、それぞれＲＸ＋、ＲＸ−及びＴＸ＋、ＴＸ−であり、ｄ．前記２個の接触インターフェース基板の内の１個のみには、前記接触インターフェースを設置し、
ｅ．前記多数の端子の固定部は前記絶縁台体に埋め込み固定され、
ｆ．前記２対のみの信号接触部の接触インターフェース基板には、前後二列の接触部を設置し、前記後方列の接触部には、少なくとも５個の接点回路シリアルナンバーが順に配列する接触部を設置し、前記二列の接触部のうち少なくとも後方列の接触部が前記接触インターフェースであり、前記後方列の接触部には、前記２対のみの信号接触部を設置することを特徴とする請求項１８に記載の双方向エレクトリックコネクトプラグ。
【請求項２０】
前記接触インターフェース基板には、少なくとも９個の接点回路シリアルナンバーが順に配列する接触部を設置し、これにより、前記双方向エレクトリックコネクトソケットに双方向に電気的に接続し、３対のみの信号接触部を有するのは、前記２個の接触インターフェースの内の１個の接触インターフェースであることを特徴とする請求項１或は２或は３或いは４或いは５或は６或は７或は８或は９或は１０に記載の双方向エレクトリックコネクトプラグ。
【請求項２１】
前記双方向エレクトリックコネクトプラグは、以下のａからｅの内の一つ或いは少なくとも二つ上の組合せで、
ａ．少なくとも一列の水平方向のピンを設置し、
ｂ．前記３対のみの信号接触部は、ＵＳＢ３．０信号接触部であり、それぞれはＤ＋、Ｄ−、ＲＸ＋、ＲＸ−及びＴＸ＋、ＴＸ−であり、
ｃ．前記２個の接触インターフェース基板の内の１個のみには、前記接触インターフェースを設置し、
ｄ．前記接触部は、上下に弾動するか弾動しない、
ｅ．前記多数の端子の固定部は前記絶縁台体に埋め込み固定されることを特徴とする請求項２０に記載の双方向エレクトリックコネクトプラグ。
【請求項２２】
前記双方向エレクトリックコネクトプラグには、アダプター媒介をさらに設置し、第二エレクトリックコネクターに転換接続することを特徴とする請求項１或は２或は３或いは４或いは５或は６或は７或は８或は９或は１０に記載の双方向エレクトリックコネクトプラグ。
【請求項２３】
前記双方向エレクトリックコネクトプラグは、以下のａからｄの内の一つ或いは少なくとも二つ上の組合せで、
ａ．接点切換統合デバイスをさらに設置し、これにより双方向エレクトリックコネクトプラグの接触インターフェースと第二エレクトリックコネクターの接触インターフェースとは統合され、相互に切り換えられ、
ｂ．前記第二エレクトリックコネクターは、双方向挿入接続可能なプラグ或いはソケットで、前記第二エレクトリックコネクターには、２個の接触インターフェースを設置し、或いは単一の接触インターフェースだけを設置し、
ｃ．前記アダプター媒介は、アダプタケーブル或いは回路基板であり
ｄ．前記接触インターフェースの接触部は前記接触インターフェース基板から突出して上下に弾動し、前記第二エレクトリックコネクタには、板片状ジョイントを設置し、その板片両面には、一列８個の弾動しない接点の接触インターフェースをそれぞれ設置することを特徴とする請求項２２に記載の双方向エレクトリックコネクトプラグ。
【請求項２４】
前記絶縁台体には、上下に重ねる上台体及び下台体を設置し、前記２個の接触インターフェースの多数の端子の固定部はそれぞれ前記上台体及び前記下台体に埋め込み射出され固定されることを特徴とする請求項３或いは４或いは５或は８或は９に記載の双方向エレクトリックコネクトプラグ。
【請求項２５】
前記双方向エレクトリックコネクトプラグは、以下のａからｄの内の一つ或いは少なくとも二つ上の組合せで、
ａ．前記上台体及び前記下台体は、それぞれ前記接触インターフェース基板に一体に連接し、
ｂ．前記上台体及び前記下台体は、それぞれ前記接触インターフェース基板に一体に連接し、２個の前記後方列の接触部の二列端子の固定部は、前記上台体及び前記下台体に埋め込み射出され固定され、且つ前記二列の端子の前端は、それぞれ前記２個の接触インターフェース基板に埋め込み射出され固定され、
ｃ．前記上台体及び前記下台体は、それぞれ前記接触インターフェース基板に一体に連接し、前記前方列の接触部は、挿入口から反対に折れて内に順に延伸する一列の弾動接触部であり、
ｄ．２個の前記後方列の接触部には、それぞれ固定部を連接し、前記上台体及び前記下台体にそれぞれ埋め込み射出され固定され、２個の前記前方列の接触部には、それぞれ固定部を連接し、前記２個の接触インターフェース基板にそれぞれ埋め込み射出され固定されることを特徴とする請求項１４に記載の双方向エレクトリックコネクトプラグ。
【請求項２６】
前記双方向エレクトリックコネクトプラグは、以下のａからｉの内の一つ或いは少なくとも二つ上の組合せで、
ａ．前記２個の接触インターフェース基板の絶縁層と前記定位構造は共に、前記絶縁台体と一体に成形し、
ｂ．前記２個の接触インターフェース基板の絶縁層と前記定位構造は共に、前記絶縁台体と一体に成形し、前記絶縁台体前段断面は、一体に成形する口字形枠体構造であり、
ｃ．前記２個の接触インターフェース基板の絶縁層と前記定位構造は共に、前記絶縁台体と一体に成形し、前記絶縁台体は、上下に重ねる上台体及び下台体から構成され、前記上台体前段断面は、下向きのコの字型を呈し、前記下台体前段断面は、上向きのコの字型を呈し、
ｄ．接触インターフェース基板には、窪みを有する弾動空間を設置し、前記後方列の接触部を形成する一列の端子は、前記弾動空間で上下に弾動し、前記絶縁層は、前記金属ハウジングと隔てるため、前記弾動空間に底面を設置し、
ｅ．接触インターフェース基板には、窪みを有する弾動空間を設置し、前記後方列の接触部を形成する一列の端子は、前記弾動空間で上下に弾動し、
ｆ．前記端子は弾動し、前記端子の延伸部の末段には反対に折れ、接触部を設置し、
ｇ．ＵＳＢ協会が定める最も小さい高さの規格の標準型エレクトリックコネクトプラグはＭＩＣＲＯ  ＵＳＢエレクトリックコネクトプラグであり、前記ＭＩＣＲＯ  ＵＳＢエレクトリックコネクトプラグの嵌合接続インタフェース基板の高さは０．９ｍｍであり、ＵＳＢ協会が定める最も小さい高さの規格の標準型エレクトリックコネクトソケットはＭＩＣＲＯ  ＵＳＢエレクトリックコネクトソケットであり、前記ＭＩＣＲＯ  ＵＳＢエレクトリックコネクトソケットの連接槽の小空間の高さは０．２８ｍｍで、大空間の高さは０．９７ｍｍであり、前記２個の接触インターフェース基板の高さは０．２８ｍｍより大きく、０．９ｍｍより小さく、
ｈ．前記接触インターフェース基板の高さは、ＵＳＢ協会が定めるＡ型標準型エレクトリックコネクトソケットの連接槽の小空間の高さより大きく、前記小空間の高さは０．７２であり、
ｉ．前記接触インターフェースは、前記嵌合接続空間の上面或は底面に設置され、前記エレクトリックコネクトソケットの２個の連接面のうち少なくとも１個には接触インターフェースを設置し、これにより前記双方向エレクトリックコネクトプラグに電気的に接続し前記エレクトリックコネクトソケットの接触インターフェースが前記２個の連接面より低いことはないことを特徴とする請求項１或は２或は３或いは４或いは５或は６或は７或は８或は９或は１０に記載の双方向エレクトリックコネクトプラグ。
【請求項２７】
双方向エレクトリックコネクトソケットで、双方向エレクトリックコネクトプラグの嵌合接続部を双方向挿入接続可能で、
前記嵌合接続部には、相同の高さで、しかも相互に対面する２個の接触インターフェース基板及び嵌合接続空間を設置し、
前記２個の接触インターフェース基板の嵌合接続空間を隔て、
前記双方向エレクトリックコネクトソケットは、絶縁台体及び金属ハウジングを有し、
前記絶縁台体の一端は突出し、舌板を設置し、
前記舌板の２個の連接面には、それぞれ接触インターフェースを設置し、これにより前記双方向エレクトリックコネクトプラグに電気的に接続し、
前記接触インターフェースは、多数の端子により形成され、各端子には、ピン、固定部及び延伸部が設置され、
前記固定部と前記絶縁台体とは固定され、
前記延伸部は、前記固定部一端に連接され、前記舌板へと延伸し、しかも接触部を設置し、
前記ピンは、前記固定部反対端に連接し、前記絶縁台体に伸び出し、
前記多数の端子の接触部には、前記接触インターフェースを形成し、
前記金属ハウジングは、前記絶縁台体の一端から突出した舌板を包み込み、連接槽を形成し、
前記舌板は、前記連接槽の中間の高さに位置し、
前記舌板の２個の連接面は、対称の空間を形成し、
前記双方向エレクトリックコネクトプラグの嵌合接続部は、前記連接槽に双方向挿入が可能で、
前記２個の接触インターフェース基板の高さは共に、前記舌板の２個の連接面の空間に嵌合可能で、
前記嵌合接続空間には、前記舌板を嵌合し、
前記２個の接触インターフェースの接点回路シリアルナンバーは、相互に反対方向に配列され、
前記２個の接触インターフェース基板と前記舌板の２個の連接面の嵌合間隙は共に、０．１５ｍｍより小さく、しかも緊密に対応して嵌合し、
しかも２個の連接面の空間の高さは共に較請求項１に記載のＵＳＢ協会で規定された、最小高さ規格の標準型エレクトリックコネクトソケットの大空間より小さく、しかも小空間より大きいことを特徴とする双方向エレクトリックコネクトソケット。
【請求項２８】
前記２個の接触インターフェースには、一列の少なくとも５個が前記２個の連接面から突出する前記接触部をそれぞれ設置することを特徴とする請求項２７に記載の双方向エレクトリックコネクトソケット。
【請求項２９】
前記双方向エレクトリックコネクトソケットは、以下のａからｃの内の一つ或いは少なくとも二つ上の組合せで、
ａ．前記接触部は、上下に弾動するか弾動しない、
ｂ．前記２個の接触インターフェースには、少なくとも１対或は１対のみをそれぞれ設置し、
ｃ．前記２個の接触インターフェースには、１対のみのＵＳＢ２．０信号接触部をそれぞれ設置し、それぞれはＤ＋、Ｄ−であることを特徴とする請求項２８に記載の双方向エレクトリックコネクトソケット。
【請求項３０】
前記接触インターフェースは、少なくとも９個で、しかも一つが長く一つが短い二列の接触部であり、前記二列の接触部は、舌板に密着して突出し、しかも弾動不可であることを特徴とする請求項２７に記載の双方向エレクトリックコネクトソケット。
【請求項３１】
前記双方向エレクトリックコネクトソケットは、以下のａからｈの内の一つ或いは少なくとも二つ上の組合せで、
ａ．前記２個の接触インターフェースの二列の前記接触部それぞれは、少なくとも２個が長く７個が短く、
ｂ．前記２個のうちの少なくとも１個の接触インターフェースには、少なくとも３対の信号接触部を設置し、
ｃ．前記２個のうちの少なくとも１個の接触インターフェースには、少なくともＵＳＢ３．０の3対の信号接触部を設置し、それぞれはＤ＋、Ｄ−とＲＸ＋、ＲＸ−とＴＸ＋、ＴＸ−であり、
ｄ．前記２個の接触インターフェースには、それぞれ少なくとも３対の信号接触部を設置し、
ｅ．前記２個の接触インターフェースには、少なくともＵＳＢ３．０の3対の信号接触部を設置し、それぞれはＤ＋、Ｄ−とＲＸ＋、ＲＸ−とＴＸ＋、ＴＸ−であり、
ｆ．前記接触インターフェースの少なくとも２個の長接触部は、前記接続面の２個の外側にそれぞれ配置し、
ｇ．前記連接槽左右側には、係合フック部をそれぞれ設置し、前記双方向エレクトリックコネクトプラグの嵌合接続部を係合し、
ｈ．前記金属ハウジングが連接槽に対応する上下両面は、開孔無し構造であることを特徴とする請求項２８に記載の双方向エレクトリックコネクトソケット。
【請求項３２】
前記接触インターフェースには、少なくとも７個の接点回路シリアルナンバーが順に配列する接触部を設置し、前記連接槽左右側には、係合フック部をそれぞれ設置し、前記双方向エレクトリックコネクトプラグの嵌合接続部を係合することを特徴とする請求項２７に記載の双方向エレクトリックコネクトソケット。
【請求項３３】
前記双方向エレクトリックコネクトソケットは、以下のａからｄの内の一つ或いは少なくとも二つ上の組合せで、
ａ．前記接触部は、上下に弾動するか舌板に密着して弾動しない、
ｂ．前記接触インターフェースには、少なくとも１対或は１対を設置し、
ｃ．前記接触インターフェースには、１対のみのＵＳＢ２．０信号接触部を設置し、それぞれはＤ＋、Ｄ−であり、
ｄ．前記金属ハウジングが連接槽に対応する上下両面は、開孔無し構造であることを特徴とする請求項２７に記載の双方向エレクトリックコネクトソケット。
【請求項３４】
前記絶縁台体には上下に重ねる第一台体及び第二台体を設置し、前記第一台体及び前記第二台体は、前記接触インターフェースの多数の端子の少なくとも一列の端子とそれぞれ埋め込み射出成形することを特徴とする請求項２７或は３０或は３２に記載の双方向エレクトリックコネクトソケット。
【請求項３５】
前記２個の接触インターフェースを形成する多数の端子は、前記絶縁台体と舌板と埋め込み射出固定することを特徴とする請求項２７に記載の双方向エレクトリックコネクトソケット。
【請求項３６】
前記２個の接触インターフェースを形成する多数の端子は、前記絶縁台体と前記舌板と同時に埋め込み射出成形し、或いは前記絶縁台体と前記舌板とは一体式な構造であり、或いは前記絶縁台体には上下に重ねる上台体及び下台体からなり、前記上台体には前記舌板の上段区を一体に設置し、前記下台体には前記舌板の下段区を一体に設置し、前記上台体は、前記接触インターフェースを形成する多数の端子と埋め込み射出成形し、前記下台体は、もう一つの前記接触インターフェースを形成する多数の端子と埋め込み射出成形することを特徴とする請求項３５に記載の双方向エレクトリックコネクトソケット。
【請求項３７】
前記双方向エレクトリックコネクトソケットは、以下のａからｇの内の一つ或いは少なくとも二つ上の組合せで、
ａ．前記接触部は、上下に弾動するか舌板に密着して弾動しない、
ｂ．前記２個の接触インターフェースの前記接触部は、長接触部と短い接触部の二列接触部を呈し、
ｃ．前記２個の接触インターフェースの前記接触部それぞれは、少なくとも２個が長く７個が短く、前記二列の接触部は、舌板に密着して弾動しない、
ｄ．前記２個の接触インターフェースの前記接触部それぞれは、少なくとも２個が長く７個が短く、前記二列の接触部は、舌板に密着して弾動しない、少なくとも２個の長接触部は、前記接続面の２個の外側にそれぞれ配置し、
ｅ．２個の前記接触インターフェースの内の少なくとも１個の接触インターフェースには、少なくとも３対の信号接触部を設置し、
ｆ．２個の前記接触インターフェースの内の少なくとも１個の接触インターフェースには、少なくともＵＳＢ３．０の3対の信号接触部を設置し、それぞれはＤ＋、Ｄ−とＲＸ＋、ＲＸ−とＴＸ＋、ＴＸ−であり、
ｇ．前記金属ハウジングが連接槽に対応する上下両面は、開孔無し構造であることを特徴とする請求項３２或は３５に記載の双方向エレクトリックコネクトソケット。
【請求項３８】
前記双方向エレクトリックコネクトソケットは、以下のａからｍの内の一つ或いは少なくとも二つ上の組合せで、
ａ．前記２個の接触インターフェースは、相同の接触インターフェースであり、
ｂ．前記２個の接触インターフェースの相同の接点回路は、少なくとも１対を電気的に接続し、
ｃ．前記２個の接触インターフェースの相同の接点回路は、少なくとも１対を連接媒介により電気的に接続し、
ｄ．前記２個の接触インターフェースの相同の接点回路は、電気的に接続し、一組の回路を呈し、
ｅ．前記２個の接触インターフェースの相同の接地及び電源接点回路は、電気的に接続し、
ｆ．前記２個の接触インターフェースの多数の接触部は、相互に電気的に接続しておらず、独立な回路であり、
ｇ．前記２個の接触インターフェースの多数の端子のピンは、少なくとも前後の二列のピンを呈し、しかも少なくとも後方列のピンの末端が水平であり、或いは前記二列のピンの末端が全部水平であり、或いは前記２個の接触インターフェースの多数の端子のピンが一列を呈し、
ｈ．前記２個の接触インターフェースの多数の端子は、全部、前記絶縁台体と前記舌板に埋め込み射出固定され、
ｉ．前記絶縁台体の一端には、前記舌板を一体に設置し、
ｊ．ＵＳＢ協会が定める最も小さい高さの規格の標準型エレクトリックコネクトソケットはＭＩＣＲＯ  ＵＳＢエレクトリックコネクトソケットであり、前記ＭＩＣＲＯ  ＵＳＢエレクトリックコネクトソケットの槽の小空間の高さは０．２８ｍｍで、大空間の高さは０．９７ｍｍであり、前記２個の連接面の空間の高さは０．２８ｍｍより大きく、０．９７ｍｍより小さく、
ｋ．前記双方向エレクトリックコネクトプラグの２個の接触インターフェース基板には、接触インターフェースをそれぞれ設置し、前記舌板の２個の連接面の２個の接触インターフェースと前記双方向エレクトリックコネクトプラグの２個の接触インターフェースとは両面の電気的な接続を形成し、
ｌ．前記２個の接触インターフェースは、前記２個の連接面よりも高く、
ｍ．前記絶縁台体の中間には、横方向に延伸する金属隔絶板を設置し、前記金属隔絶板は、前記２個の接触インターフェースの多数の端子を隔てることを特徴とする請求項２７或は２８或は３０或は３２或は３５に記載の双方向エレクトリックコネクトソケット。
【請求項３９】
前記双方向エレクトリックコネクトプラグには、アダプター媒介をさらに設置し、第二エレクトリックコネクターに転換接続することを特徴とする請求項２７或は２８或は３０或は３２或は３５に記載の双方向エレクトリックコネクトソケット。
【請求項４０】
前記双方向エレクトリックコネクトソケットは、以下のａからｃの内の一つ或いは少なくとも二つ上の組合せで、
ａ．接点切換統合デバイスをさらに設置し、これにより双方向エレクトリックコネクトソケットの接触インターフェースと第二エレクトリックコネクターの接触インターフェースとは統合され、相互に切り換えられ、
ｂ．前記第二エレクトリックコネクターは、双方向挿入接続可能なプラグ或いはソケットで、前記第二エレクトリックコネクターには、２個の接触インターフェースを設置し、或いは単一の接触インターフェースだけを設置し、
ｃ．前記アダプター媒介は、アダプタケーブル或いは回路基板であることを特徴とする請求項２７或は２８或は３０或は３２或は３５に記載の双方向エレクトリックコネクトソケット。
【請求項４１】
双方向エレクトリックコネクトソケットとエレクトリックコネクトソケットプラグの組み合わせ構造は、エレクトリックコネクトソケットとエレクトリックコネクトソケットプラグを有し、
前記エレクトリックコネクトソケットには、絶縁台体と連接槽を設置し、
前記絶縁台体の一端には、舌板を突出状に設置し、
前記舌板の２個の連接面のうちの少なくとも１個の連接面には、接触インターフェースを設置し、
前記接触インターフェースは、前記絶縁台体の反対端に電気的に接続し、
前記連接槽は、前記絶縁台体の一端に設置し、
しかも前記舌板は、前記連接槽に位置し、
前記接触インターフェースは、多数の端子より形成し、
前記端子には、ピン、固定部及び延伸部が設置され、
前記固定部と前記絶縁台体とは固定され、前記延伸部は、前記固定部一端に連接され、前記舌板へと延伸し、しかも接触部を設置し、
前記ピンは、前記固定部反対端に連接し、前記絶縁台体に伸び出し、前記多数の端子の接触部は前記接触インターフェースを形成し、
前記エレクトリックコネクトプラグには、絶縁台体と嵌合接続部を設置し、
前記嵌合接続部は、前記絶縁台体の一端に設置され、
前記エレクトリックコネクトプラグの嵌合接続部には、相互に対面する２個の接触インターフェース基板、及び嵌合接続空間を設置し、
前記２個の接触インターフェース基板には、それぞれ絶縁層を設置し、しかも両者の嵌合接続空間を隔て、前記２個の接触インターフェース基板の少なくとも１個の接触インターフェース基板には、接触インターフェースを設置し、これにより前記エレクトリックコネクトソケットの接触インターフェースに電気的に接続し、
前記エレクトリックコネクトプラグの前記接触インターフェースは、多数の端子により形成し、
前記端子には、ピン、固定部及び延伸部が設置され、
前記固定部と前記絶縁台体とは固定され、前記延伸部は、前記固定部一端に連接され、前記舌板へと延伸し、しかも接触部を設置し、
前記ピンは、前記固定部反対端に連接し、前記絶縁台体に伸び出し、前記多数の端子の接触部は前記接触インターフェースを形成し、
前記エレクトリックコネクトプラグには、定位構造をさらに設置し、
前記定位構造は、前記２個の接触インターフェース基板の前記絶縁層を定位し、前記２個の接触インターフェース基板の高さは、相同で、請求項１に記載のＵＳＢ協会で規定された最小高さ規格の標準型エレクトリックコネクトプラグの接触インタフェース基板よりも小さく、かつＵＳＢ協会で規定された、最小高さ規格の標準型エレクトリックコネクトソケットの連接槽の小空間よりも大きく、
前記連接槽の中間の高さには、舌板を設置し、
前記舌板の２個の連接面には、対称の空間を形成し、
しかも前記２個の連接面の空間の高さは、請求項１に記載のＵＳＢ協会で規定された最小高さ規格の標準型エレクトリックコネクトソケットの大空間よりも小さく、小空間より大きく、
前記エレクトリックコネクトソケットと前記エレクトリックコネクトプラグの内の少なくとも一つには、前記２個の接触インターフェースを設置し、
前記双方向エレクトリックコネクトソケットプラグの前記嵌合接続部は、連接槽に双方向挿入可能で、
前記２個の接触インターフェース基板の高さは、前記舌板の２個の連接面の空間を嵌合接続し、前記嵌合接続空間は、前記舌板を嵌合接続することを特徴とする双方向エレクトリックコネクトソケットと双方向エレクトリックコネクトソケットプラグの組み合わせ構造。
【請求項４２】
前記双方向エレクトリックコネクトソケットと双方向エレクトリックコネクトソケットプラグの組み合わせ構造は、以下のａからｐの内の一つ或いは少なくとも二つ上の組合せで、
ａ．前記エレクトリックコネクトソケットと前記エレクトリックコネクトプラグの内の一つには、前記２個の接触インターフェースを設置し、もう一つには、１個の接触インターフェースのみを設置し、或いは前記舌板の２個の連接面には、前記接触インターフェースをそれぞれ設置し、前記２個の接触インターフェース基板の内の一つには、前記接触インターフェースを設置し、或いは前記舌板の２個の連接面の内の１個の連接面のみには、前記接触インターフェースを設置し、前記２個の接触インターフェース基板には、前記接触インターフェースを設置し、或いは前記エレクトリックコネクトプラグの前記２個の接触インターフェース基板には、前記接触インターフェースをそれぞれ設置し、前記２個の接触インターフェースの接点回路シリアルナンバーは、相互に反対方向に配列され、前記エレクトリックコネクトソケットの前記舌板の対面する面には、前記接触インターフェースを設置し、前記舌板の対面する面の接触インターフェースは、接点回路シリアルナンバーが相互に反対方向に配列され、前記エレクトリックコネクトプラグは、前記エレクトリックコネクトソケットの連接槽に双方向挿入可能で、前記エレクトリックコネクトプラグの２個の接触インターフェースは、全部１対で、前記エレクトリックコネクトソケットの２個の接触インターフェースにそれぞれ電気的に接続し、
ｂ．前記連接槽の形状は、上下対称で、しかも左右対称であり、前記嵌合接続部の外形は、上下対称で、しかも左右対称であり、
ｃ．前記エレクトリックコネクトソケットには、さらに金属ハウジングを設置し、前記金属ハウジングは、前記絶縁台体を包み込み、前記連接槽は、前記金属ハウジングより形成し、
ｄ．前記接触インターフェースは、ＵＳＢ２．０接触インターフェースであり、或いは前記接触インターフェースは、ＵＳＢ３．０接触インターフェースであり、或いは前記接触インターフェースは、ＭＩＣＲＯ  ＵＳＢ接触インターフェースであり、
ｅ．前記エレクトリックコネクトプラグには、さらに金属ハウジングを設置し、前記金属ハウジングは、前記絶縁台体を包み込み、前記嵌合接続部の外層は、前記金属ハウジングであり、前記２個の接触インターフェース基板の内層は、前記絶縁層で、しかも外層は、金属ハウジングであり、
ｆ．前記エレクトリックコネクトプラグの少なくとも１個の接触インターフェース基板は、前記絶縁台体と一体に成形し、
ｇ．前記エレクトリックコネクトソケットと前記エレクトリックコネクトプラグには、２個の接触インターフェースを設置し、前記２個の接触インターフェースの接点回路シリアルナンバーは、相互に反対方向に配列され、しかも相同の接触インターフェースであり、
ｈ．前記エレクトリックコネクトソケットと前記エレクトリックコネクトプラグには、２個の接触インターフェースを設置し、前記２個の接触インターフェースの接点回路シリアルナンバーは、相互に反対方向に配列され、
ｉ．絶縁ハウジングをさらに設置し、前記エレクトリックコネクトプラグの前記絶縁台体の後段を包み込み、
ｊ．前記エレクトリックコネクトソケットと前記エレクトリックコネクトプラグには、２個の接触インターフェースを設置し、前記２個の接触インターフェースの接点回路シリアルナンバーは、相互に反対方向に配列され、しかも相同の接点回路は、少なくとも１対が電気的に接続され、
ｋ．前記エレクトリックコネクトソケットと前記エレクトリックコネクトプラグには、２個の接触インターフェースを設置し、前記２個の接触インターフェースの接点回路シリアルナンバーは、相互に反対方向に配列され、しかも相同の接点回路は、少なくとも１対が連接媒介により電気的に接続され、
ｌ．前記エレクトリックコネクトソケットと前記エレクトリックコネクトプラグには、２個の接触インターフェースを設置し、前記２個の接触インターフェースの接点回路シリアルナンバーは、相互に反対方向に配列され、しかも相同の接点回路は、電気的に接続し、一組の回路を呈し、
ｍ．前記エレクトリックコネクトソケットと前記エレクトリックコネクトプラグには、２個の接触インターフェースを設置し、前記２個の接触インターフェースの接点回路シリアルナンバーは、相互に反対方向に配列され、しかも相同の接地及び電源接点回路は、電気的に接続し、
ｎ．前記エレクトリックコネクトソケットの接触インターフェースの多数の端子は、前記絶縁台体と前記舌板に埋め込み射出固定され、
ｏ．前記エレクトリックコネクトプラグの接触インターフェースの多数の端子の内の少なくとも一列の端子の固定部は、前記絶縁台体に埋め込み射出固定され、
ｐ．前記エレクトリックコネクトプラグの前記記接触インターフェースは、前記嵌合接続空間の上面或は底面に設置され、前記エレクトリックコネクトソケットの接触インターフェースが前記２個の連接面より低いことはないことを特徴とする請求項４１に記載の双方向エレクトリックコネクトソケットと双方向エレクトリックコネクトソケットプラグの組み合わせ構造。
【手続補正３】
【補正対象書類名】図面
【補正対象項目名】全図
【補正方法】変更
【補正の内容】
【図１】
2017515289.tif 000001
【図２】
2017515289.tif 000002
【図３】
2017515289.tif 000003
【図４】
2017515289.tif 000004
【図５】
2017515289.tif 000005
【図６】
2017515289.tif 000006
【図７】
2017515289.tif 000007
【図８】
2017515289.tif 000008
【図９】
2017515289.tif 000009
【図１０】
2017515289.tif 000010
【図１１】
2017515289.tif 000011
【図１２】
2017515289.tif 000012
【図１３】
2017515289.tif 000013
【図１４】
2017515289.tif 000014
【図１５】
2017515289.tif 000015
【図１６】
2017515289.tif 000016
【図１７】
2017515289.tif 000017
【図１８】
2017515289.tif 000018
【図１９】
2017515289.tif 000019
【図２０】
2017515289.tif 000020
【図２１】
2017515289.tif 000021
【図２２】
2017515289.tif 000022
【図２３】
2017515289.tif 000023
【図２４】
2017515289.tif 000024
【図２５】
2017515289.tif 000025
【図２６】
2017515289.tif 000026
【図２７】
2017515289.tif 000027
【図２８】
2017515289.tif 000028
【図２９】
2017515289.tif 000029
【図３０】
2017515289.tif 000030
【図３１】
2017515289.tif 000031
【図３２】
2017515289.tif 000032
【図３３】
2017515289.tif 000033
【図３４】
2017515289.tif 000034
【図３５】
2017515289.tif 000035
【図３６】
2017515289.tif 000036
【図３７】
2017515289.tif 000037
【図３８】
2017515289.tif 000038
【図３９】
2017515289.tif 000039
【図４０】
2017515289.tif 000040
【図４１】
2017515289.tif 000041
【図４２】
2017515289.tif 000042
【図４３】
2017515289.tif 000043
【図４４】
2017515289.tif 000044
【図４５】
2017515289.tif 000045
【図４６】
2017515289.tif 000046
【図４７】
2017515289.tif 000047
【図４８】
2017515289.tif 000048
【図４８Ａ】
2017515289.tif 000049
【図４９】
2017515289.tif 000050
【図４９Ａ】
2017515289.tif 000051
【図５０】
2017515289.tif 000052
【図５０Ａ】
2017515289.tif 000053
【図５１】
2017515289.tif 000054
【図５１Ａ】
2017515289.tif 000055
【図５２】
2017515289.tif 000056
【図５３】
2017515289.tif 000057
【図５４】
2017515289.tif 000058
【図５５】
2017515289.tif 000059
【図５６】
2017515289.tif 000060
【図５７】
2017515289.tif 000061
【図５８】
2017515289.tif 000062
【図５９】
2017515289.tif 000063
【図６０】
2017515289.tif 000064
【図６１】
2017515289.tif 000065
【図６２】
2017515289.tif 000066
【図６３】
2017515289.tif 000067
【図６４】
2017515289.tif 000068
【図６５】
2017515289.tif 000069
【図６６】
2017515289.tif 000070
【図６７】
2017515289.tif 000071
【図６８】
2017515289.tif 000072
【図６９】
2017515289.tif 000073
【図６９Ａ】
2017515289.tif 000074
【図７０】
2017515289.tif 000075
【図７１】
2017515289.tif 000076
【図７２】
2017515289.tif 000077
【図７３】
2017515289.tif 000078
【図７４】
2017515289.tif 000079
【図７５】
2017515289.tif 000080
【図７６】
2017515289.tif 000081
【図７７】
2017515289.tif 000082
【図７８】
2017515289.tif 000083
【図７９】
2017515289.tif 000084
【図８０】
2017515289.tif 000085
【図８１】
2017515289.tif 000086
【図８２】
2017515289.tif 000087
【図８３】
2017515289.tif 000088
【図８４】
2017515289.tif 000089
【図８５】
2017515289.tif 000090
【図８６】
2017515289.tif 000091
【図８７】
2017515289.tif 000092
【図８８】
2017515289.tif 000093
【図８９】
2017515289.tif 000094
【図９０】
2017515289.tif 000095
【図９１】
2017515289.tif 000096
【図９２】
2017515289.tif 000097
【図９３】
2017515289.tif 000098